(57)【要約】【課題】画質の劣化を抑制可能な表示装置を提供する。【解決手段】少なくとも一方が透光性を有すると共に間隙をもって配置された一対の基板と、前記一対の基板間に封入された透光性を有する分散媒と、前記分散媒中に分散され、前記一対の基板間に予め定められた閾値電圧を超える電圧が印加されることにより形成された電界に応じて該分散媒中を移動する粒子群と、を有する表示媒体の一対の基板間に、粒子群の閾値電圧を超える表示駆動電圧を印加した後に、該表示駆動電圧の極性を反転させた該閾値電圧以下の電圧を印加する。【選択図】図３
2008129179.tif 000002
【特許請求の範囲】
【請求項１】
少なくとも一方が透光性を有すると共に間隙をもって配置された一対の基板と、
前記一対の基板間に封入された分散媒と、
前記分散媒中に分散され、前記一対の基板間に予め定められた閾値電圧を超える電圧が印加されることにより形成された電界に応じて該分散媒中を移動する粒子群と、
を有する表示媒体と、
前記一対の基板間に電圧を印加する電圧印加手段と、
前記一対の基板間に前記閾値電圧を超える第１の電圧を印加した後に、該第１の電圧の極性を反転させた該閾値電圧以下の電圧を印加するように、前記電圧印加手段を制御する制御手段と、
を備えたことを特徴とする表示装置。
【請求項２】
前記表示媒体に表示する画像の色を示す色情報を取得する取得手段と、
色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶する記憶手段と、
を備え、
前記制御手段は、前記取得手段によって取得した色情報に対応する閾値電圧情報と第１の電圧情報と印加時間情報とを前記記憶手段から読み取り、読み取った第１の電圧情報の第１の電圧を読み取った印加時間情報の印加時間印加するように前記電圧印加手段を制御した後に、該第１の電圧の極性を反転させた極性の該閾値電圧情報の閾値電圧以下の電圧を印加するように前記電圧印加手段を制御することを特徴とする請求項１に記載の表示装置。
【請求項３】
少なくとも一方が透光性を有すると共に間隙をもって配置された一対の基板と、
前記一対の基板間に封入された分散媒と、
前記分散媒中に分散され、前記一対の基板間に予め定められた閾値電圧を超える電圧が印加されることにより形成された電界に応じて該分散媒中を移動する粒子群と、
を有する表示媒体と、
前記一対の基板間に電圧を印加する電圧印加手段と、
前記一対の基板間に、移動対象の粒子群の前記閾値電圧を超える第1の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、
を備えたことを特徴とする表示装置。
【請求項４】
少なくとも一方が透光性を有すると共に間隙をもって配置された一対の基板と、
前記一対の基板間に封入された分散媒と、
前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、
を有する表示媒体と、
前記一対の基板間に電圧を印加する電圧印加手段と、
前記基板間に、移動対象の１または複数種類の粒子群の内の最も閾値電圧の小さい粒子群の閾値電圧を超える第１の電圧を印加した後に、該第１の電圧の極性を反転させた極性の該閾値電圧以下の電圧を印加するように、前記電圧印加手段を制御する制御手段と、
を備えたことを特徴とする表示装置。
【請求項５】
前記表示媒体に表示する画像の色を示す色情報を取得する取得手段と、
前記粒子群の種類を識別する識別情報と、該粒子群の種類に応じた閾値電圧の閾値電圧情報と、該閾値電圧を超える第１の電圧の第１の電圧情報と、該第１の電圧の印加時間を示す印加時間情報と、を対応づけて予め記憶すると共に、前記色情報と、移動対象となる粒子群の種類を識別する識別情報としての１または複数の前記識別情報及び各粒子群の移動順序を示す順序情報と、を対応づけて予め記憶した記憶手段と、
を備え、
前記制御手段は、前記取得手段によって取得した色情報に対応する１または複数の前記識別情報及び各粒子群の前記順序情報を前記記憶手段から読取ると共に、読み取った識別情報に対応する第１の電圧情報及び印加時間情報を前記記憶手段から読取り、読み取った識別情報に対応する第１の電圧情報の第１の電圧を読み取った印加時間情報の印加時間該識別情報に対応する順序情報に応じた順序で順次印加するように前記電圧印加手段を制御した後に、最後に印加した第１の電圧の極性を反転させた極性の、該最後に印加した第１の電圧の第１の電圧情報に対応する閾値電圧情報の閾値電圧以下の電圧を印加するように前記電圧印加手段を制御することを特徴とする請求項４に記載の表示装置。
【請求項６】
少なくとも一方が透光性を有すると共に間隙をもって配置された一対の基板と、
前記一対の基板間に封入された分散媒と、
前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、
を有する表示媒体と、
前記一対の基板間に電圧を印加する電圧印加手段と、
前記一対の基板間に、移動対象の１または複数種類の粒子群の内の最も閾値電圧の小さい粒子群の閾値電圧を超える第１の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、
を備えたことを特徴とする表示装置。
【請求項７】
前記分散媒は、該分散媒中に含まれた粒子群とは異なる色に予め着色されていることを特徴とする請求項１乃至請求項６の何れか１項に記載の表示装置。
【請求項８】
前記一対の基板の何れか一方は、前記粒子群とは異なる色に予め着色されていることを特徴とする請求項１乃至請求項７の何れか１項に記載の表示装置。
【請求項９】
前記一対の基板間に配設され、前記粒子群が移動可能な空隙を有する空隙部材を備えたことを特徴とする請求項１乃至請求項８の何れか１項に記載の表示装置。
【請求項１０】
前記空隙部材は前記粒子群とは異なる色に予め着色されていることを特徴とする請求項９に記載の表示装置。
【請求項１１】
前記空隙部材が白色粒子であることを特徴とする請求項９または請求項１０に記載の表示装置。
【請求項１２】
前記一対の基板のうち、表示側の基板上に多孔質の部材が積層されていることを特徴とする請求項１乃至請求項１１の何れか１項に記載の表示装置。
【請求項１３】
少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の、前記一対の基板間に電圧を印加する電圧印加手段と、
前記一対の基板間に前記閾値電圧を超える第１の電圧を印加した後に、該第１の電圧の極性を反転させた該閾値電圧以下の電圧を印加するように、前記電圧印加手段を制御する制御手段と、
を備えたことを特徴とする書込み装置。
【請求項１４】
前記表示媒体に表示する画像の色を示す色情報を取得する取得手段と、
色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶する記憶手段と、
を備え、
前記制御手段は、前記取得手段によって取得した色情報に対応する閾値電圧情報と第１の電圧情報と印加時間情報とを前記記憶手段から読み取り、読み取った第１の電圧情報の第１の電圧を読み取った印加時間情報の印加時間印加するように前記電圧印加手段を制御した後に、該第１の電圧の極性を反転させた極性の該閾値電圧情報の閾値電圧以下の電圧を印加するように前記電圧印加手段を制御することを特徴とする請求項１３に記載の書込み装置。
【請求項１５】
少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の、前記一対の基板間に電圧を印加する電圧印加手段と、
前記一対の基板間に、移動対象の粒子群の前記閾値電圧を超える第1の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、
を備えたことを特徴とする書込み装置。
【請求項１６】
少なくとも一方が透光性を有すると共に間隙をもって配置された一対の基板と、前記一対の基板間に封入された分散媒と、前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、を有する表示媒体の、前記一対の基板間に電圧を印加する電圧印加手段と、
前記基板間に、移動対象の１または複数種類の粒子群の内の最も閾値電圧の小さい粒子群の閾値電圧を超える第１の電圧を印加した後に、該第１の電圧の極性を反転させた極性の該閾値電圧以下の電圧を印加するように、前記電圧印加手段を制御する制御手段と、
を備えたことを特徴とする書込み装置。
【請求項１７】
前記表示媒体に表示する画像の色を示す色情報を取得する取得手段と、
前記粒子群の種類を識別する識別情報と、該粒子群の種類に応じた閾値電圧の閾値電圧情報と、該閾値電圧を超える第１の電圧の第１の電圧情報と、該第１の電圧の印加時間を示す印加時間情報と、を対応づけて予め記憶すると共に、前記色情報と、移動対象となる粒子群の種類を識別する識別情報としての１または複数の前記識別情報及び各粒子群の移動順序を示す順序情報と、を対応づけて予め記憶する記憶手段と、
を備え、
前記制御手段は、前記取得手段によって取得した色情報に対応する１または複数の前記識別情報及び各粒子群の前記順序情報を前記記憶手段から読取ると共に、読み取った識別情報に対応する第１の電圧情報及び印加時間情報を前記記憶手段から読取り、読み取った識別情報に対応する第１の電圧情報の第１の電圧を読み取った印加時間情報の印加時間該識別情報に対応する順序情報に応じた順序で順次印加するように前記電圧印加手段を制御した後に、最後に印加した第１の電圧の極性を反転させた極性の、該最後に印加した第１の電圧の第１の電圧情報に対応する閾値電圧情報の閾値電圧以下の電圧を印加するように前記電圧印加手段を制御することを特徴とする請求項１６に記載の書込み装置。
【請求項１８】
少なくとも一方が透光性を有すると共に間隙をもって配置された一対の基板と、前記一対の基板間に封入された分散媒と、前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、を有する表示媒体の、前記一対の基板間に電圧を印加する電圧印加手段と、
前記一対の基板間に、移動対象の１または複数種類の粒子群の内の最も閾値電圧の小さい粒子群の閾値電圧を超える第１の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、
を備えたことを特徴とする書込み装置。
【請求項１９】
少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の前記一対の基板間に前記閾値電圧を超える第１の電圧を印加する第1の電圧印加ステップと、
該第１の電圧を印加した後に、該第１の電圧の極性を反転させた該閾値電圧以下の電圧を前記表示媒体の前記一対の基板間に印加する第２の電圧印加ステップと、
を含む処理をコンピュータに実行させることを特徴とする表示プログラム。
【請求項２０】
色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶する記憶ステップと、
前記表示媒体に表示する画像の色を示す色情報を取得する取得ステップと、
を含む処理を更にコンピュータに実行させ、
前記第1の電圧印加ステップは、前記取得ステップにより取得した色情報に対応する閾値電圧情報と第１の電圧情報と印加時間情報とを読み取り、読み取った第１の電圧情報の第１の電圧を読み取った印加時間情報の印加時間、前記一対の基板間に印加することを特徴とする請求項１９に記載の表示プログラム。
【請求項２１】
少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の前記一対の基板間に、移動対象の１または複数種類の粒子群の内の最も閾値電圧の小さい粒子群の閾値電圧を超える第１の電圧を印加する第３の電圧印加ステップと、
該第１の電圧を印加した後に、該第１の電圧の極性を反転させた極性の該閾値電圧以下の電圧を前記表示媒体の前記一対の基板間に印加する第４の電圧印加ステップと、
を含む処理をコンピュータに実行させることを特徴とする表示プログラム。
【請求項２２】
色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶するとともに、前記色情報と、移動対象となる粒子群の種類を識別する識別情報としての１または複数の前記識別情報及び各粒子群の移動順序を示す順序情報と、を対応づけて予め記憶する記憶ステップと、
前記表示媒体に表示する画像の色を示す色情報を取得する取得ステップと、
を含む処理を更にコンピュータに実行させ、
前記第３の電圧印加ステップは、前記取得ステップにより取得した色情報に対応する１または複数の前記識別情報及び各粒子群の前記順序情報を読取ると共に、読み取った識別情報に対応する第１の電圧情報及び印加時間情報を読取り、読み取った識別情報に対応する第１の電圧情報の第１の電圧を読み取った印加時間情報の印加時間該識別情報に対応する順序情報に応じた順序で順次前記一対の基板間に印加することを特徴とする請求項２１に記載の表示プログラム。
【発明の詳細な説明】
【技術分野】
【０００１】
本発明は、表示装置、書込み装置、及び表示プログラムに関する。
【背景技術】
【０００２】
従来、繰り返し書き換えが可能な画像表示媒体として、着色粒子を用いた画像表示媒体が知られている（例えば、特許文献１、特許文献２、及び特許文献３参照）。
この画像表示媒体は、例えば一対の基板と、一対の基板間に形成された電界に応じて基板間を移動可能に該基板間に封入された粒子群と、を含んで構成されている。また、基板間には、粒子が基板内の特定の領域に偏るのを防ぐため等の理由により、基板間を複数のセルに仕切るための間隙部材が設けられる場合もある。
【０００３】
一対の基板間に封入された粒子群としては、特定の色に着色された１種類の粒子群である場合や、互いに色及び移動に必要な電界強度の異なる複数種類の粒子群である場合等がある。
【０００４】
この画像表示媒体では、一対の基板間に電圧を印加することにより封入されている粒子を移動させることで、何れか一方の基板側に移動した粒子の量及び移動した粒子の色に応じた色の画像を表示させている。すなわち、表示対象となる画像の色及び濃度に応じて、移動させる対象となる粒子群を移動させるための強度の電圧を基板間に印加することで、移動対象となる粒子群を一対の基板の何れか一方側へ移動させて表示対象の画像の色及び濃度に応じた画像を表示している。
【０００５】
【特許文献１】特表２００５−５２４８６５
【特許文献２】特開平０１−２６７４２５号公報
【特許文献３】特開２００６−０５８９０２号公報
【発明の開示】
【発明が解決しようとする課題】
【０００６】
本発明は、画質の劣化を抑制可能な表示装置、書込み装置、及び表示プログラムを提供することを課題とする。
【課題を解決するための手段】
【０００７】
上記課題は、以下の手段により解決される。即ち、
請求項１に係る発明は、少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体と、前記一対の基板間に電圧を印加する電圧印加手段と、前記一対の基板間に前記閾値電圧を超える第１の電圧を印加した後に、該第１の電圧の極性を反転させた該閾値電圧以下の電圧を印加するように、前記電圧印加手段を制御する制御手段と、を備えたことを特徴とする表示装置である。
【０００８】
請求項２に係る発明は、前記表示媒体に表示する画像の色を示す色情報を取得する取得手段と、色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶する記憶手段と、を備え、前記制御手段は、前記取得手段によって取得した色情報に対応する閾値電圧情報と第１の電圧情報と印加時間情報とを前記記憶手段から読み取り、読み取った第１の電圧情報の第１の電圧を読み取った印加時間情報の印加時間印加するように前記電圧印加手段を制御した後に、該第１の電圧の極性を反転させた極性の該閾値電圧情報の閾値電圧以下の電圧を印加するように前記電圧印加手段を制御することを特徴とする請求項１に記載の表示装置である。
【０００９】
請求項３に係る発明は、少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体と、前記一対の基板間に電圧を印加する電圧印加手段と、前記一対の基板間に、移動対象の粒子群の前記閾値電圧を超える第1の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、を備えたことを特徴とする表示装置である。
【００１０】
請求項４に係る発明は、少なくとも一方が透光性を有すると共に間隙をもって配置された一対の基板と、前記一対の基板間に封入された分散媒と、前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、を有する表示媒体と、前記一対の基板間に電圧を印加する電圧印加手段と、前記基板間に、移動対象の１または複数種類の粒子群の内の最も閾値電圧の小さい粒子群の閾値電圧を超える第１の電圧を印加した後に、該第１の電圧の極性を反転させた極性の該閾値電圧以下の電圧を印加するように、前記電圧印加手段を制御する制御手段と、を備えたことを特徴とする表示装置である。
【００１１】
請求項５に係る発明は、前記表示媒体に表示する画像の色を示す色情報を取得する取得手段と、前記粒子群の種類を識別する識別情報と、該粒子群の種類に応じた閾値電圧の閾値電圧情報と、該閾値電圧を超える第１の電圧の第１の電圧情報と、該第１の電圧の印加時間を示す印加時間情報と、を対応づけて予め記憶すると共に、前記色情報と、移動対象となる粒子群の種類を識別する識別情報としての１または複数の前記識別情報及び各粒子群の移動順序を示す順序情報と、を対応づけて予め記憶した記憶手段と、を備え、前記制御手段は、前記取得手段によって取得した色情報に対応する１または複数の前記識別情報及び各粒子群の前記順序情報を前記記憶手段から読取ると共に、読み取った識別情報に対応する第１の電圧情報及び印加時間情報を前記記憶手段から読取り、読み取った識別情報に対応する第１の電圧情報の第１の電圧を読み取った印加時間情報の印加時間該識別情報に対応する順序情報に応じた順序で順次印加するように前記電圧印加手段を制御した後に、最後に印加した第１の電圧の極性を反転させた極性の、該最後に印加した第１の電圧の第１の電圧情報に対応する閾値電圧情報の閾値電圧以下の電圧を印加するように前記電圧印加手段を制御することを特徴とする請求項４に記載の表示装置である。
【００１２】
請求項６に係る発明は、少なくとも一方が透光性を有すると共に間隙をもって配置された一対の基板と、前記一対の基板間に封入された分散媒と、前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、を有する表示媒体と、前記一対の基板間に電圧を印加する電圧印加手段と、前記一対の基板間に、移動対象の１または複数種類の粒子群の内の最も閾値電圧の小さい粒子群の閾値電圧を超える第１の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、を備えたことを特徴とする表示装置である。
【００１３】
請求項７に係る発明は、前記分散媒は、該分散媒中に含まれた粒子群とは異なる色に予め着色されていることを特徴とする請求項１から請求項６の何れか１項に記載の表示装置である。
【００１４】
請求項８に係る発明は、前記一対の基板の何れか一方は、前記粒子群とは異なる色に予め着色されていることを特徴とする請求項１から請求項７の何れか１項に記載の表示装置である。
【００１５】
請求項９に係る発明は、前記一対の基板間に配設され、前記粒子群が移動可能な空隙を有する空隙部材を備えたことを特徴とする請求項１から請求項８の何れか１項に記載の表示装置である。
【００１６】
請求項１０に係る発明は、前記空隙部材は前記粒子群とは異なる色に予め着色されていることを特徴とする請求項９に記載の表示装置である。
【００１７】
請求項１１に係る発明は、前記空隙部材が白色粒子であることを特徴とする請求項９または請求項１０に記載の表示装置である。
【００１８】
請求項１２に係る発明は、前記一対の基板のうち、表示側の基板上に多孔質の部材が積層されていることを特徴とする請求項１から請求項１１の何れか１項に記載の表示装置である。
【００１９】
請求項１３に係る発明は、少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の、前記一対の基板間に電圧を印加する電圧印加手段と、前記一対の基板間に前記閾値電圧を超える第１の電圧を印加した後に、該第１の電圧の極性を反転させた該閾値電圧以下の電圧を印加するように、前記電圧印加手段を制御する制御手段と、を備えたことを特徴とする書込み装置であり。
【００２０】
請求項１４に係る発明は、前記表示媒体に表示する画像の色を示す色情報を取得する取得手段と、色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶する記憶手段と、を備え、前記制御手段は、前記取得手段によって取得した色情報に対応する閾値電圧情報と第１の電圧情報と印加時間情報とを前記記憶手段から読み取り、読み取った第１の電圧情報の第１の電圧を読み取った印加時間情報の印加時間印加するように前記電圧印加手段を制御した後に、該第１の電圧の極性を反転させた極性の該閾値電圧情報の閾値電圧以下の電圧を印加するように前記電圧印加手段を制御することを特徴とする請求項１３に記載の書込み装置である。
【００２１】
請求項１５に係る発明は、少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の、前記一対の基板間に電圧を印加する電圧印加手段と、前記一対の基板間に、移動対象の粒子群の前記閾値電圧を超える第1の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、を備えたことを特徴とする書込み装置である。
【００２２】
請求項１６に係る発明は、少なくとも一方が透光性を有すると共に間隙をもって配置された一対の基板と、前記一対の基板間に封入された分散媒と、前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、を有する表示媒体の、前記一対の基板間に電圧を印加する電圧印加手段と、前記基板間に、移動対象の１または複数種類の粒子群の内の最も閾値電圧の小さい粒子群の閾値電圧を超える第１の電圧を印加した後に、該第１の電圧の極性を反転させた極性の該閾値電圧以下の電圧を印加するように、前記電圧印加手段を制御する制御手段と、を備えたことを特徴とする書込み装置である。
【００２３】
請求項１７に係る発明は、前記表示媒体に表示する画像の色を示す色情報を取得する取得手段と、前記粒子群の種類を識別する識別情報と、該粒子群の種類に応じた閾値電圧の閾値電圧情報と、該閾値電圧を超える第１の電圧の第１の電圧情報と、該第１の電圧の印加時間を示す印加時間情報と、を対応づけて予め記憶すると共に、前記色情報と、移動対象となる粒子群の種類を識別する識別情報としての１または複数の前記識別情報及び各粒子群の移動順序を示す順序情報と、を対応づけて予め記憶する記憶手段と、を備え、前記制御手段は、前記取得手段によって取得した色情報に対応する１または複数の前記識別情報及び各粒子群の前記順序情報を前記記憶手段から読取ると共に、読み取った識別情報に対応する第１の電圧情報及び印加時間情報を前記記憶手段から読取り、読み取った識別情報に対応する第１の電圧情報の第１の電圧を読み取った印加時間情報の印加時間該識別情報に対応する順序情報に応じた順序で順次印加するように前記電圧印加手段を制御した後に、最後に印加した第１の電圧の極性を反転させた極性の、該最後に印加した第１の電圧の第１の電圧情報に対応する閾値電圧情報の閾値電圧以下の電圧を印加するように前記電圧印加手段を制御することを特徴とする請求項１６に記載の書込み装置である。
【００２４】
請求項１８に係る発明は、少なくとも一方が透光性を有すると共に間隙をもって配置された一対の基板と、前記一対の基板間に封入された分散媒と、前記分散媒中に分散されると共に、前記一対の基板間に予め定められた閾値電圧を超える電圧が印加されることにより形成された電界に応じて該分散媒中を移動し、互いに色及前記閾値電圧の異なる複数種類の粒子群と、を有する表示媒体の、前記一対の基板間に電圧を印加する電圧印加手段と、前記一対の基板間に、移動対象の１または複数種類の粒子群の内の最も閾値電圧の小さい粒子群の閾値電圧を超える第１の電圧を印加した後に、前記分散媒中に浮遊している該移動対象の粒子群以外の粒子群を該移動対象の粒子群の移動方向とは異なる方向に移動させる電界を形成するように前記電圧印加手段を制御手段と、を備えたことを特徴とする書込み装置である。
【００２５】
請求項１９に係る発明は、少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の前記一対の基板間に前記閾値電圧を超える第１の電圧を印加する第1の電圧印加ステップと、該第１の電圧を印加した後に、該第１の電圧の極性を反転させた該閾値電圧以下の電圧を前記表示媒体の前記一対の基板間に印加する第２の電圧印加ステップと、を含む処理をコンピュータに実行させることを特徴とする表示プログラムである。
【００２６】
請求項２０に係る発明は、色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶する記憶ステップと、前記表示媒体に表示する画像の色を示す色情報を取得する取得ステップと、を含む処理を更にコンピュータに実行させ、前記第1の電圧印加ステップは、前記取得ステップにより取得した色情報に対応する閾値電圧情報と第１の電圧情報と印加時間情報とを読み取り、読み取った第１の電圧情報の第１の電圧を読み取った印加時間情報の印加時間、前記一対の基板間に印加することを特徴とする請求項１９に記載の表示プログラムである。
【００２７】
請求項２１に係る発明は、少なくとも一方が透光性を有すると共に間隙をもって配置された一対の基板と、前記一対の基板間に封入された分散媒と、前記分散媒中に分散され、前記一対の基板間に予め定められた閾値電圧を超える電圧が印加されることにより形成された電界に応じて該分散媒中を移動する粒子群と、を有する表示媒体の前記一対の基板間に、移動対象の１または複数種類の粒子群の内の最も閾値電圧の小さい粒子群の閾値電圧を超える第１の電圧を印加する第３の電圧印加ステップと、該第１の電圧を印加した後に、該第１の電圧の極性を反転させた極性の該閾値電圧以下の電圧を前記表示媒体の前記一対の基板間に印加する第４の電圧印加ステップと、を含む処理をコンピュータに実行させることを特徴とする表示プログラムである。
【００２８】
請求項２２に係る発明は、色情報と、前記粒子群の閾値電圧の閾値電圧情報と、該閾値電圧を超える第１の電圧の第１の電圧情報と、該第１の電圧の印加時間を示す印加時間情報と、を対応づけて予め記憶するとともに、前記色情報と、移動対象となる粒子群の種類を識別する識別情報としての１または複数の前記識別情報及び各粒子群の移動順序を示す順序情報と、を対応づけて予め記憶する記憶ステップと、前記表示媒体に表示する画像の色を示す色情報を取得する取得ステップと、を含む処理を更にコンピュータに実行させ、前記第３の電圧印加ステップは、前記取得ステップにより取得した色情報に対応する１または複数の前記識別情報及び各粒子群の前記順序情報を読取ると共に、読み取った識別情報に対応する第１の電圧情報及び印加時間情報を読取り、読み取った識別情報に対応する第１の電圧情報の第１の電圧を読み取った印加時間情報の印加時間該識別情報に対応する順序情報に応じた順序で順次前記一対の基板間に印加することを特徴とする請求項２１に記載の表示プログラムである。
【発明の効果】
【００２９】
請求項１に係る発明によれば、浮遊粒子の制御をしない場合に比べ、画質の劣化を抑制することができるという効果を奏する。
【００３０】
請求項２に係る発明によれば、浮遊粒子の制御をしない場合に比べ、画質の劣化を抑制することができるという効果を奏する。
【００３１】
請求項３に係る発明によれば、浮遊粒子の制御をしない場合に比べ、画質の劣化を抑制することができるという効果を奏する。
【００３２】
請求項４に係る発明によれば、浮遊粒子の制御をしない場合に比べ、画質の劣化を抑制することができるという効果を奏する。
【００３３】
請求項５に係る発明によれば、浮遊粒子の制御をしない場合に比べ、画質の劣化を抑制することができるという効果を奏する。
【００３４】
請求項６に係る発明によれば、浮遊粒子の制御をしない場合に比べ、画質の劣化を抑制することができるという効果を奏する。
【００３５】
請求項７に係る発明によれば、浮遊粒子の制御をしない場合に比べ、より多くの色を表示可能となるという効果を奏する。
【００３６】
請求項８に係る発明によれば、浮遊粒子の制御をしない場合に比べ、より多くの色を表示可能となるという効果を奏する。
【００３７】
請求項９に係る発明によれば、浮遊粒子の制御をしない場合に比べ、色表示の応答制御を向上させるという効果を奏する。
【００３８】
請求項１０に係る発明によれば、浮遊粒子の制御をしない場合に比べ、より多くの色を表示可能となるという効果を奏する。
【００３９】
請求項１１に係る発明によれば、浮遊粒子の制御をしない場合に比べ、白色度表示を向上させるという効果を奏する。
【００４０】
請求項１２に係る発明によれば、より多くの色を表示可能となる表示濃度を向上させるという効果を奏する。
【００４１】
請求項１３に係る発明によれば、浮遊粒子の制御をしない場合に比べ、画質の劣化を抑制することができる書込み装置を提供できるという効果を奏する。
【００４２】
請求項１４に係る発明によれば、浮遊粒子の制御をしない場合に比べ、より多くの色を表示可能となる書込み装置を提供できるという効果を奏する。
【００４３】
請求項１５に係る発明によれば、浮遊粒子の制御をしない場合に比べ、画質の劣化を抑制することができる書込み装置を提供できるという効果を奏する。
【００４４】
請求項１６に係る発明によれば、浮遊粒子の制御をしない場合に比べ、画質の劣化を抑制することができる書込み装置を提供できるという効果を奏する。
【００４５】
請求項１７に係る発明によれば、浮遊粒子の制御をしない場合に比べ、より多くの色を表示可能となる書込み装置を提供できるという効果を奏する。
【００４６】
請求項１８に係る発明によれば、浮遊粒子の制御をしない場合に比べ、画質の劣化を抑制することができる書込み装置を提供できるという効果を奏する。
【００４７】
請求項１９に係る発明によれば、浮遊粒子の制御をしない場合に比べ、画質の劣化を抑制することができる表示プログラムを提供できるという効果を奏する。
【００４８】
請求項２０に係る発明によれば、浮遊粒子の制御をしない場合に比べ、画質の劣化を抑制することができる表示プログラムを提供できるという効果を奏する。
【００４９】
請求項２１に係る発明によれば、浮遊粒子の制御をしない場合に比べ、画質の劣化を抑制することができる表示プログラムを提供できるという効果を奏する。
【００５０】
請求項２２に係る発明によれば、浮遊粒子の制御をしない場合に比べ、画質の劣化を抑制することができる表示プログラムを提供できるという効果を奏する。
【発明を実施するための最良の形態】
【００５１】
以下、本発明の表示装置及び表示方法の一の実施の形態を図面に基づき説明する。
【００５２】
（第１の実施の形態）
図１に示すように、本発明の実施の形態に係る表示装置１０は、表示媒体１２と、書込み装置９０と、を含んで構成されている。
【００５３】
書込み装置９０は、表示媒体１２に電圧を印加する電圧印加部１６と、制御部１８と、記憶部１４と、取得部１５と、を含んで構成されている。
【００５４】
表示媒体１２は、画像表示面とされる表示基板２０、表示基板２０に間隙をもって対向する背面基板２２、これらの基板間を所定間隔に保持すると共に、表示基板２０と背面基板２２との基板間を複数のセルに区画する間隙部材２４、及び各セル内に封入された粒子群３４を含んで構成されている。
【００５５】
上記セルとは、表示基板２０と、背面基板２２と、間隙部材２４と、によって囲まれた領域を示している。このセル中には、分散媒５０が封入されている。粒子群３４（詳細後述）は、複数の粒子から構成されており、この分散媒５０中に分散され、セル内に形成された電界強度に応じて表示基板２０と背面基板２２との基板間を移動する。なお、本実施の形態では、１つのセル内に封入されている粒子群３４の色及び閾値電圧（詳細後述）は所定の値となるように予め調整されているものとして説明する。
【００５６】
なお、この表示媒体１２に画像を表示したときの各画素に対応するように間隙部材２４を設け、各画素に対応するようにセルを形成することで、表示媒体１２を、画素毎の表示が可能となるように構成することができる。
【００５７】
なお、本実施の形態では、説明を簡易化するために、１つのセルに注目した図を用いて本実施の形態を説明する。
【００５８】
表示基板２０は、支持基板３８上に、表面電極４０及び表面層４２を順に積層した構成となっている。背面基板２２は、支持基板４４上に、背面電極４６及び表面層４８を順に積層した構成となっている。
【００５９】
表示基板２０、または表示基板２０と背面基板２２との双方は、透光性を有している。ここで、本実施の形態における透光性とは、可視光の透過率が７０％以上，好ましくは９０％以上であることを示している。
【００６０】
上記支持基板３８及び支持基板４４としては、ガラスや、プラスチック、例えば、ポリカーボネート樹脂、アクリル樹脂、ポリイミド樹脂、ポリエステル樹脂、エポキシ樹脂、ポリエーテルサルフォン樹脂等が挙げられる。
【００６１】
背面電極４６及び表面電極４０には、インジウム、スズ、カドミウム、アンチモン等の酸化物、ＩＴＯ等の複合酸化物、金、銀、銅、ニッケル等の金属、ポリピロールやポリチオフェン等の有機材料等を使用することができる。これらは単層膜、混合膜あるいは複合膜として使用でき、蒸着法、スパッタリング法、塗布法等で形成できる。また、その厚さは、蒸着法、スパッタリング法によれば、通常１００〜２０００Åである。背面電極４６及び表面電極４０は、従来の液晶表示素子あるいはプリント基板のエッチング等従来公知の手段により、所望のパターン、例えば、マトリックス状、あるいはパッシブマトリックス駆動を可能とするストライプ状に形成することができる。
【００６２】
また、表面電極４０を支持基板３８に埋め込んでもよい。また、背面電極４６を支持基板４４に埋め込んでもよい。この場合、支持基板３８及び支持基板４４の材料が粒子群３４の各粒子の電気的特性または磁気的特性や流動性に影響を及ぼすことがあるので、粒子群３４の各粒子の組成等に応じて選択する。
【００６３】
なお、背面電極４６及び表面電極４０各々を表示基板２０及び背面基板２２と分離させ、表示媒体１２の外部に配置してもよい。
【００６４】
また、上記では、表示基板２０と背面基板２２の双方に電極（表面電極４０及び背面電極４６）を備える場合を説明したが、何れか一方にだけ設けるようにしてもよい．
【００６５】
具体的には、例えば、図１３（Ａ）に示す表示装置８０に設けられた表示媒体８２に示す構成とすればよい。表示装置８０は、表示媒体８２と書込み装置９０とを含んで構成されている。この、表示媒体８２を、画像表示面とされる表示基板２１、表示基板２１に間隙をもって対向する背面基板２３、これらの基板間を所定間隔に保持する間隙部材２４、及び粒子群３４から構成し、表示基板２１を、支持基板３８上に表面層４２を積層した構成とし、背面基板２３を、支持基板４４上に２種類の電極として表面電極４０及び背面電極４６を設けた後に更に表面層４８を積層した構成とすればよい。この表面電極４０及び背面電極４６を、電圧印加部１６に信号授受可能に接続すればよい。
【００６６】
なお、図１３（Ａ）及び図１３（Ｂ）に示した表示装置８０おいて、図１で説明した表示装置１０と同一の構成には同一符号を付与して詳細な説明を省略する。
表示媒体を図１３に示す構成とすることで、電圧印加部１６の制御によって背面電極４６側に粒子群３４が移動するように表面電極４０と背面電極４６とに電圧印加されると、図１３（Ａ）に示すように、粒子群３４は、背面基板２３の背面電極４６が設けられた領域に移動する。反対に、電圧印加部１６の制御によって表面電極４０側に粒子群３４が移動するように表面電極４０と背面電極４６との間に電圧が印加されると、図１３（Ｂ）に示すように、粒子群３４は、背面基板４２の表面電極４０が設けられた領域に移動する。
【００６７】
さらに、表示媒体は、図１３（Ａ）に示す表示媒体８２の表示基板２１側に更に電極を設けた構成であってもよい。この電極は、電圧印加部１６に信号授受可能に接続すればよい。このような構成とすれば、さらに細かな制御が可能となる。
【００６８】
また、上記表示媒体１２において（図１参照）、アクティブマトリックス駆動を可能にするために、支持基板３８及び支持基板４４は、画素毎にＴＦＴ（薄膜トランジスタ）を備えていてもよい。配線の積層化及び部品実装が容易であることから、ＴＦＴは表示基板ではなく背面基板２２に形成することが好ましい。
【００６９】
なお、表示媒体１２を単純マトリクス駆動とすると、表示媒体１２を備えた詳細を後述する表示装置１０の構成を簡易な構成とすることができ、ＴＦＴを用いたアクティブマトリックス駆動とすると、単純マトリクス駆動に比べて表示速度を速くすることができる。
【００７０】
上記表面電極４０及び背面電極４６が、各々支持基板３８及び支持基板４４上に形成されている場合、表面電極４０及び背面電極４６の破損や、粒子群３４の各粒子の固着を招く電極間のリークの発生を防止するため、必要に応じて表面電極４０及び背面電極４６各々上に誘電体膜としての表面層４２及び表面層４８各々を形成することが好ましい。
【００７１】
この表面層４２及び表面層４８各々を形成する材料としては、ポリカーボネート、ポリエステル、ポリスチレン、ポリイミド、エポキシ、ポリイソシアネート、ポリアミド、ポリビニルアルコール、ポリブタジエン、ポリメチルメタクリレート、共重合ナイロン、紫外線硬化アクリル樹脂、フッ素樹脂等を用いることができる。
【００７２】
また、誘電体膜を構成する材料として上述した材料の他に、この材料中に電荷輸送物質を含有させたものも使用できる。
【００７３】
電荷輸送物質としては、例えば、正孔輸送物質であるヒドラゾン化合物、スチルベン化合物、ピラゾリン化合物、アリールアミン化合物等が挙げられる。また、電子輸送物質であるフルオレノン化合物、ジフェノキノン誘導体、ピラン化合物、酸化亜鉛等も使用できる。さらに、電荷輸送性を有する自己支持性の樹脂を用いることもできる。
【００７４】
具体的には、ポリビニルカルバゾール、米国特許第４８０６４４３号に記載の特定のジヒドロキシアリールアミンとビスクロロホルメートとの重合によるポリカーボネート等が挙げられる。誘電体膜としての表面層４２及び表面層４８は、粒子群３４の帯電特性や流動性に影響を及ぼすことがあるので、粒子群３４の組成等に応じて選択する。表示媒体１２を構成する表示基板２０は、上述のように透光性を有する必要があるので、上記各材料のうち透光性を有する材料を使用することが好ましい。
【００７５】
表示基板２０と背面基板２２との基板間の隙を保持するための間隙部材２４は、表示基板２０の透光性を損なわないように形成され、熱可塑性樹脂、熱硬化性樹脂、電子線硬化樹脂、光硬化樹脂、ゴム、金属等で形成することができる。
【００７６】
間隙部材２４は表示基板２０及び背面基板２２の何れか一方と一体化されてもよい。この場合には、支持基板３８または支持基板４４をエッチングするエッチング処理、レーザー加工処理、予め作製した型を使用してプレス加工処理または印刷処理等を行うことによって作製することができる。
この場合、間隙部材２４は、表示基板２０側、背面基板２２側のいずれか、又は双方に作製することができる。
【００７７】
間隙部材２４は有色でも無色でもよいが、表示媒体１２に表示される表示画像に悪影響を及ぼさないように無彩色あるいは無色透明であることが好ましく、その場合には、例えば、ポリスチレンやポリエステルやアクリルなどの透明樹脂等を使用することができる。
【００７８】
粒子群３４が分散される分散媒５０としては、高抵抗液体（以下，絶縁性液体は高抵抗液体と記載してください）であることが好ましい。ここで、「絶縁性」とは、体積抵抗率が1010Ω・ｃｍ以上、望ましくは1012Ω・ｃｍ以上であることを示している。
【００７９】
上記絶縁性液体として具体的には、ヘキサン、シクロヘキサン、トルエン、キシレン、デカン、ヘキサデカン、ケロセン、パラフィン、イソパラフィン、シリコーンオイル、ジククロロエチレン、トリクロロエチレン、パークロロエチレン、高純度石油、エチレングリコール、アルコール類、エーテル類、エステル類、ジメチルホルムアミド、ジメチルアセトアミド、ジメチルスルホキシド、Ｎ−メチルピロリドン、２−ピロリドン、Ｎ−メチルホルムアミド、アセトニトリル、テトラヒドロフラン、プロピレンカーボネート、エチレンカーボネート、ベンジン、ジイソプロピルナフタレン、オリーブ油、イソプロパノール、トリクロロトリフルオロエタン、テトラクロロエタン、ジブロモテトラフルオロエタンなどや、それらの混合物が好適に使用できる。
【００８０】
また、下記体積抵抗値となるよう不純物を除去することで、水（所謂、純水）も、分散媒５０として使用することができる。該体積抵抗値としては、１０3Ωｃｍ以上で使用でき、１０10Ωｃｍ以上であることが好適であり、さらに１０12Ωｃｍ以上であることがより好ましい。
【００８１】
なお、絶縁性液体には、必要に応じて、酸、アルカリ、塩、分散安定剤、酸化防止や紫外線吸収などを目的とした安定剤、抗菌剤、防腐剤などを添加することができるが、上記で示した特定の体積抵抗値の範囲となるように添加することが好ましい。
【００８２】
また、絶縁性液体には、帯電制御剤として、陰イオン界面活性剤、陽イオン界面活性剤、両性界面活性剤、非イオン界面活性剤、フッ素系界面活性剤、シリコーン系界面活性剤、金属石鹸、アルキルリン酸エステル類、コハク酸イミド類等を添加して使用できる。
【００８３】
イオン性および非イオン性の界面活性剤としては、より具体的には以下があげられる。ノニオン活性剤としては、ポリオキシエチレンノニルフェニルエーテル、ポリオキシエチレンオクチルフェニルエーテル、ポリオキシエチレンドデシルフェニルエーテル、ポリオキシエチレンアルキルエーテル、ポリオキシエチレン脂肪酸エステル、ソルビタン脂肪酸エステル、ポリオキシエチレンソルビタン脂肪酸エステル、脂肪酸アルキロールアミド等が挙げられる。アニオン界面活性剤としては、アルキルベンゼンスルホン酸塩、アルキルフェニルスルホン酸塩、アルキルナフタリンスルホン酸塩、高級脂肪酸塩、高級脂肪酸エステルの硫酸エステル塩、高級脂肪酸エステルのスルホン酸等がある。カチオン界面活性剤としては、第一級ないし第三級のアミン塩、第四級アンモニウム塩等があげられる。これら帯電制御剤は、粒子固形分に対して０．０１重量％以上、２０重量％以下が好ましく、特に０．０５〜１０重量％の範囲が好ましい。０．０１重量％を下回ると、希望とする帯電制御効果が不充分であり、また２０重量％を越えると、現像液の過度な電導度の上昇を引き起こす。
【００８４】
なお、表示媒体１２に封入される上記粒子群３４は、分散媒５０として高分子樹脂に分散されていることも好ましい。この高分子樹脂としては、高分子ゲル、ネットワークポリマー等であることも好ましい。
【００８５】
この高分子樹脂としては、アガロース、アガロペクチン、アミロース、アルギン酸ナトリウム、アルギン酸プロピレングリコールエステル、イソリケナン、インスリン、エチルセルロース、エチルヒドロキシエチルセルロース、カードラン、カゼイン、カラギーナン、カルボキシメチルセルロース、カルボキシメチルデンプン、カロース、寒天、キチン、キトサン、絹フィブロイン、クアーガム、クインスシード、クラウンゴール多糖、グリコーゲン、グルコマンナン、ケラタン硫酸、ケラチン蛋白質、コラーゲン、酢酸セルロース、ジェランガム、シゾフィラン、ゼラチン、ゾウゲヤシマンナン、ツニシン、デキストラン、デルマタン硫酸、デンプン、トラガカントゴム、ニゲラン、ヒアルロン酸、ヒドロキシエチルセルロース、ヒドロキシプロピルセルロース、プスツラン、フノラン、分解キシログルカン、ペクチン、ポルフィラン、メチルセルロース、メチルデンプン、ラミナラン、リケナン、レンチナン、ローカストビーンガム等の天然高分子由来の高分子ゲルが挙げられる他、合成高分子の場合にはほとんどすべての高分子ゲルが挙げられる。
【００８６】
更に、アルコール、ケトン、エーテル、エステル、及びアミドの官能基を繰り返し単位中に含む高分子等が挙げられ、例えば、ポリビニルアルコール、ポリ（メタ）アクリルアミドやその誘導体、ポリビニルピロリドン、ポリエチレンオキシドやこれら高分子を含む共重合体を挙げることができる。
【００８７】
これら中でも、製造安定性、電気泳動特性等の観点から、ゼラチン、ポリビニルアルコール、ポリ（メタ）アクリルアミド等が好ましく用いられる。
【００８８】
これら高分子樹脂は、前記絶縁性液体と共に分散媒５０として用いることが好ましい。
【００８９】
また、この分散媒５０に下記着色剤を混合することで、表示媒体１２に粒子群３４の色とは異なる色を表示させることができる。例えば、着色剤として白色を示す着色剤を混合することにより、粒子群３４の色が黒色の場合には、表示媒体１２にいて白色と黒色とを表示することができる。
【００９０】
この分散媒５０に混合する白色着色剤としては、酸化チタンや酸化マグネシウム、酸化亜鉛などの白色顔料微粒子が挙げられる。また、白色以外に着色する場合には、有機若しくは無機の顔料や、油溶性染料等を使用することができ、カーボンブラック、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等を代表的なものとして例示することができる。
【００９１】
粒子群３４は、複数の粒子から構成され、表面電極４０と背面電極４６との電極間に（すなわち、表示基板２０と背面基板２２と基板間に）、粒子群３４の閾値特性に応じて予め定められた閾値電圧を超える電圧が印加されて表示基板２０と背面基板２２との基板間に所定の電界強度以上の電界が形成されることで分散媒５０中を移動する。
表示媒体１２における表示色の変化は、この粒子群３４を構成する各粒子の分散媒５０中の移動によって生じる。
【００９２】
閾値特性とは、本実施の形態では、表示基板２０と背面基板２２との基板間に電圧が印加されることにより分散媒５０内に形成された電界によって粒子群３４を構成する粒子が分散媒５０内を移動し、基板間に閾値電圧未満の電圧を印加されたときには表示媒体１２の表示色の明度（すなわち濃度）に変化が現れず、閾値電圧を超える電圧を印加されたときに表示濃度に変化が現れるという表示に寄与する特性をいう。
【００９３】
上記閾値電圧とは、表示基板２０と背面基板２２との基板間に印加する電圧の電圧値を連続的に変化させたときに、粒子群３４を構成する各粒子の移動によって表示媒体１２の表示濃度に変化が現れない状態から表示濃度に変化が現れ始めた状態へと移行し始めたときの電圧値を示している。すなわち、閾値電圧以下の電圧が表示媒体１２の表示基板２０と背面基板２２との基板間に印加されているときには、表示媒体１２の表示濃度に変化は現れず、閾値電圧を超える電圧が印加されたときに、表示濃度に変化が現れる。
【００９４】
この「表示媒体１２の表示濃度に変化が現れた」状態とは、表示媒体１２の表面電極４０と背面電極４６とに電圧を印加して、この電圧値を０Ｖから連続的に変化させ、表示濃度の変化を目視観察により評価を行って、変化が現れた状態を表す。また、この評価において表示濃度に変化が現れた状態とは、表示基板２０の濃度を濃度計（Ｘ−Ｒｉｔｅ社製、Ｘ−Ｒｉｔｅ４０４Ａ）によって測定したところ、電圧印加前の濃度に対する濃度変化が、０．１以下の変化量であった状態を表す。
【００９５】
具体的には、表示媒体１２内の粒子群３４は、例えば、図２に示す閾値特性を有している。
図２に示す例では、粒子群３４は負極に帯電されており、線図３５に示されるように、表示基板２０と背面基板２２との基板間に電圧値Ｖｋの電圧が印加されたときに、表示媒体１２において粒子群３４の移動により表示濃度に変化が現れ始める。さらに、電圧値Ｖｋより大きい電圧値として電圧値Ｖｋ’の電圧が印加されたときに、濃度変化がほぼ停止（飽和）する。
【００９６】
同じように、表示基板２０と背面基板２２との基板間に電圧値−Ｖｋの電圧が印加されたときに、表示媒体１２において粒子群３４の移動により表示濃度に変化が現れ始める（線図３７参照）。さらに、電圧値−Ｖｋの絶対値より絶対値の大きい電圧値として電圧値−Ｖｋ’の電圧が印加されたときに、粒子群３４の基板間の移動により表示濃度の変化が停止する。
【００９７】
すなわち、図２に示す例では、電圧値−Ｖｋ以上の電圧から電圧値Ｖｋ以下の電圧の範囲内の電圧が表示基板２０と背面基板２２との基板間に印加された場合には、表示媒体１２の表示濃度に変化が発生する程度の粒子群３４の粒子の移動は生じていないといえる。
この場合には、電圧値Ｖｋ及び電圧値−Ｖｋの絶対値が閾値電圧として定められる。
【００９８】
すなわち、閾値電圧は、表示媒体１２に濃度変化が現れ始めたときに分散媒５０中に形成されている「電界強度」に相当する。この「電界強度」とは、単位距離当りの電位差（Ｖ／ｍ）である。すなわち、閾値電圧とは、表示媒体１２に濃度変化が現れる程度の量の粒子が一方の基板側から他方の基板側へ移動する電界強度の電界を生じさせるために、基板間に印加する電圧の電圧値の絶対値を意味している。
【００９９】
なお、以下では、電圧値Ｖｋ’及び電圧値−Ｖｋ’の絶対値を濃度飽和電圧と称して説明する。
【０１００】
なお、本実施の形態では、同一種類の粒子群３４の閾値電圧は、正極（＋）と負極（−）で同一であるものとして説明するが、表示媒体の構成によって同一種類の粒子群３４であっても正極と負極とで閾値電圧が異なる場合もある。この場合には、各種類の粒子群３４毎に、閾値電圧として正極性の電圧値と負極性の電圧値との各々を、後述する表示時における表示媒体１２への電圧印加において用いるようにすればよい。
【０１０１】
粒子群３４の閾値電圧は、粒子群３４の静電力と、粒子群３４を表示基板２０側または背面基板２２側に拘束する力（以下、拘束力と称する）と、によって定まり、拘束力の絶対値が大きいほど、閾値電圧が大きく、拘束力の絶対値が小さいほど、閾値電圧は小さくなる。
【０１０２】
この拘束力には、粒子間や粒子と表示基板２０及び背面基板２２間のファンデルワールス力や、粒子と表示基板２０及び背面基板２２間に働く静電的な鏡像力や、粒子間の弱い相互力による粒子の流動抵抗や、磁気力等がある。
【０１０３】
次に、拘束力として働く力について説明する。粒子群３４が表示基板２０及び背面基板２２の何れか一方側に付着している状態では、表示基板２０及び背面基板２２と、粒子群３４の各粒子間には、各基板に付着するための付着力が作用している。この付着力は、物理的な接触によって生じる物質固有のファンデルワールス力であり、この力は、基板に接触している粒子の接触面積、粒子と基板間の距離に依存し、接触面積が大きくなればなるほど、距離が小さくなればなるほど大きくなる。この接触面積と距離は、粒子の粒径(体積平均一次粒径)、及び粒子の形状係数に依存している。また、ファンデルワールス力は粒子、および基板表面の材質にも依存する。
また、粒子が電荷を保持している場合には、粒子が付着している表示基板２０、あるいは背面基板２２との基板間に鏡像力が発生する。
【０１０４】
また、粒子が磁化を保持している場合には、表示基板２０、あるいは、背面基板２２のより近い位置に存在する粒子と表示基板２０、あるいは、背面基板２２との基板間に磁気力が発生する。この場合、表示基板２０、あるいは、背面基板２２には、磁石を設けて、磁石からの磁束に基づく磁気勾配を表示基板２０の周辺、あるいは、背面基板２２の周辺に発生させ、表示基板２０、あるいは、背面基板２２により近い位置に存在する粒子に磁気力が作用する。
【０１０５】
さらに、複数種類の粒子群３４は分散媒５０に分散されていることから、表示基板２０と背面基板２２との基板間に電界が付与されて移動を開始するときには、各粒子の表面と分散媒５０との界面において抵抗が発生する。この抵抗は、基板表面上および基板の周辺に集積した粒子が緩やかな粒子間の相互関係を形成することにより生じるものと考えられる。この抵抗は、各粒子の移動を開始したときに大きく、移動し始めると除々に小さくなる。なお、以下では、この分散媒５０と粒子群３４の各粒子との界面における抵抗の最大値（移動開始時の抵抗値）を、「流動抵抗」と称して説明する。
この流動抵抗についても、拘束力への寄与が考えられる。
【０１０６】
このため、粒子群３４の上記閾値電圧を調整するためには、前述したように各種類の粒子群３４の拘束力を調整すればよい。そのために、粒子群３４を構成する粒子の、平均帯電量、各粒子表面の分散媒に対する流動抵抗、平均磁気量（磁化の強さ）、粒子の粒径、及び粒子の形状係数の何れか１つまたは複数を調整すればよい。
【０１０７】
粒子群３４を構成する各粒子の平均帯電量の調整は、具体的には、前記した樹脂に配合する帯電制御剤の種類と量、粒子表面に結合するポリマー鎖の種類と量、粒子表面に添加したり埋め込んだりする外添剤の種類と量、粒子表面に付与する界面活性剤やポリマー鎖やカップリング剤の種類と量、粒子の比表面積（体積平均一次粒径や粒子の形状係数）等を調整することによって可能である。
【０１０８】
また、表示基板２０及び背面基板２２の表面層４２及び表面層４８の平均表面粗さを調整することで、拘束力を調整することができる。
【０１０９】
また、各粒子表面の分散媒に対する流動抵抗の調整は、具体的には、表示基板２０及び背面基板２２上、及び周辺の粒子に対して、表示基板２０及び背面基板２２から粒子に付与する粒子を振動させる周波数を調整することによって可能である。
【０１１０】
また、各粒子の平均磁気量の調整は、具体的には、粒子に磁性を付与する各種の方法を用いることができる。
例えば、従来の電子写真の磁性トナーのように、粉末状のマグネタイト等の磁性体を樹脂に混合して粒子を作成したり、磁性体とモノマーを分散し、重合して粒子を作成したりすることができる。また、多孔質粒子の細孔に磁性体を沈着させて作成する。あるいは、磁性体を被覆する方法も知られている。例えば、磁性体表面に設けた活性点から重合させて磁性体を樹脂でくるんだ粒子を作成したり、磁性体表面に溶解させた樹脂を沈着させて磁性体を樹脂でくるんだ粒子を作成したりする。磁性体として軽くて透明な、あるいは着色した有機磁性体も使用可能である。粒子の平均磁気量の調整は、使用する磁性体の種類と量を調整することによって可能である。
【０１１１】
また、粒子の粒径の調整は、具体的には、粒子を作成する際に行う。粒子を重合法にて作成する場合は分散剤等の量や分散条件、加熱条件等、また、粒子を混練粉砕分級して作成する場合は分級条件等、また、粒子の構成材料をボールミル粉砕して作成する場合はボールミルに用いられる鋼球のサイズ、回転時間、回転速度等、を調整することによって可能である。上記に限られるわけではない。
【０１１２】
また、粒子の形状係数の調整は、具体的には、例えば、特開平１０−１０７７５公報記載の溶媒にポリマーを溶解し、着色剤を混合し、無機分散剤の存在下で水系媒体中に分散し粒子化させる、所謂、懸濁重合法において、モノマーと相溶性のある重合性のない有機溶媒を添加し、懸濁重合をおこない、粒子を作製、取り出し、乾燥させる工程で、有機溶媒を除去させる乾燥方法を選択する方法が好適に挙げられる。この乾燥方法としては凍結乾燥法が好適に挙げられ、この凍結乾燥法においては、−１０℃から−２００℃、さらには−３０℃から−１８０℃の範囲で行うことが好ましい。また、凍結乾燥法は、圧力４０Ｐａ以下程度で行うが、特に１３Ｐａ以下で行うことが好ましい。また、特開２０００−２９２９７１公報記載の小粒子を凝集させ、合一させ、所望の粒子径に増大させる方法等でも粒子形状を制御させるができる。
【０１１３】
表示基板２０及び背面基板２２の表面層４２及び表面層４８の平均表面粗さは機械的な方法と化学的な方法によって調整する。機械的な方法としては、例えば、サンドブラスト法、エンボス法、型押し法、型剥離法、型転写法などがある。また、化学的な方法としては、光照射法、乾燥速度が異なる混合溶媒による混合溶媒乾燥法などがある。また、基板表面の表面粗さを調整する方法としては、例えば、フッ素系樹脂粒子、ポリアミド樹脂粒子などの粒子を混合分散した樹脂を塗布する方法がある。平均表面粗さは上記方法で調整することによって可能である。
【０１１４】
また、粒子群３４は、分散媒５０中を移動することから、分散媒５０の粘度が所定値以上であると、背面基板２２及び表示基板２０への付着力のばらつきが大きく、電界に対する粒子移動の閾値がとれないことから、分散媒５０の粘度についても、調整することが必要である。
【０１１５】
分散媒５０の粘度は、温度２０℃の環境下において、０．１ｍＰａ・ｓ〜２０ｍＰａ・ｓであることが粒子の移動速度、すなわち、表示速度の観点から必須であり、０．１ｍＰａ・ｓ〜５ｍＰａ・ｓであることが好ましく、０．１ｍＰａ・ｓ〜２ｍＰａ・ｓであることが更に好ましい。
【０１１６】
分散媒５０の粘度の調整は、分散媒の分子量、構造、組成等を調整することによって可能である。なお、この粘度の測定には、東京計器製Ｂ−８Ｌ型粘度計を用いることができる。
【０１１７】
この粒子群３４の各粒子としては、ガラスビーズ、アルミナ、酸化チタン等の金属酸化物粒子等、熱可塑性若しくは熱硬化性樹脂粒子、これらの樹脂粒子の表面に着色剤を固定したもの、熱可塑性若しくは熱硬化性樹脂中に着色剤を含有する粒子、及びプラズモン発色機能を有する金属コロイド粒子等が挙げられる。
【０１１８】
粒子の製造に使用される熱可塑性樹脂としては、スチレン、クロロスチレン等のスチレン類、エチレン、プロピレン、ブチレン、イソプレン等のモノオレフィン、酢酸ビニル、プロピオン酸ビニル、安息香酸ビニル、酪酸ビニル等のビニルエステル、アクリル酸メチル、アクリル酸エチル、アクリル酸ブチル、アクリル酸ドデシル、アクリル酸オクチル、アクリル酸フェニル、メタクリル酸メチル、メタクリル酸エチル、メタクリル酸ブチル、メタクリル酸ドデシル等のα−メチレン脂肪族モノカルボン酸エステル類、ビニルメチルエーテル、ビニルエチルエーテル、ビニルブチルエーテル等のビニルエーテル類、ビニルメチルケトン、ビニルヘキシルケトン、ビニルイソプロペニルケトン等のビニルケトン類の単独重合体あるいは共重合体を例示することができる。
【０１１９】
また、粒子の製造に使用される熱硬化性樹脂としては、ジビニルベンゼンを主成分とする架橋共重合体や架橋ポリメチルメタクリレート等の架橋樹脂、フェノール樹脂、尿素樹脂、メラミン樹脂、ポリエステル樹脂、シリコーン樹脂等を挙げることができる。特に代表的な結着樹脂としては、ポリスチレン、スチレン−アクリル酸アルキル共重合体、スチレン−メタクリル酸アルキル共重合体、スチレン−アクリロニトリル共重合体、スチレン−ブタジエン共重合体、スチレン−無水マレイン酸共重合体、ポリエチレン、ポリプロピレン、ポリエステル、ポリウレタン、エポキシ樹脂、シリコーン樹脂、ポリアミド、変性ロジン、パラフィンワックス等を挙げることができる。
【０１２０】
着色剤としては、有機若しくは無機の顔料や、油溶性染料等を使用することができ、マグネタイト、フェライト等の磁性紛、カーボンブラック、酸化チタン、酸化マグネシウム、酸化亜鉛、フタロシアニン銅系シアン色材、アゾ系イエロー色材、アゾ系マゼンタ色材、キナクリドン系マゼンタ色材、レッド色材、グリーン色材、ブルー色材等の公知の着色剤を挙げることができる。具体的には、アニリンブルー、カルコイルブルー、クロムイエロー、ウルトラマリンブルー、デュポンオイルレッド、キノリンイエロー、メチレンブルークロリド、フタロシアニンブルー、マラカイトグリーンオキサレート、ランプブラック、ローズベンガル、Ｃ．Ｉ．ピグメント・レッド４８：１、Ｃ．Ｉ．ピグメント・レッド１２２、Ｃ．Ｉ．ピグメント・レッド５７：１、Ｃ．Ｉ．ピグメント・イエロー９７、Ｃ．ブルー１５：１、Ｃ．Ｉ．ピグメント・ブルー１５：３、等を代表的なものとして例示することができる。
【０１２１】
粒子の樹脂には、必要に応じて、帯電制御剤を混合してもよい。帯電制御剤としては、電子写真用トナー材料に使用される公知のものが使用でき、例えば、セチルピリジルクロライド、ＢＯＮＴＲＯＮ  Ｐ−５１、ＢＯＮＴＲＯＮ  Ｐ−５３、ＢＯＮＴＲＯＮ  Ｅ−８４、ＢＯＮＴＲＯＮ  Ｅ−８１（以上、オリエント化学工業社製）等の第４級アンモニウム塩、サリチル酸系金属錯体、フェノール系縮合物、テトラフェニル系化合物、酸化金属粒子、各種カップリング剤により表面処理された酸化金属粒子を挙げることができる。
【０１２２】
粒子の内部や表面には、必要に応じて、磁性材料を混合してもよい。磁性材料は必要に応じてカラーコートした無機磁性材料や有機磁性材料を使用する。また、透明な磁性材料、特に、透明有機磁性材料は着色顔料の発色を阻害せず、比重も無機磁性材料に比べて小さく、より望ましい。
着色した磁性粉として、例えば、特開２００３−１３１４２０公報記載の小径着色磁性粉を用いることができる。核となる磁性粒子と該磁性粒子表面上に積層された着色層とを備えたものが用いられる。そして、着色層としては、顔料等により磁性粉を不透過に着色する等選定して差し支えないが、例えば光干渉薄膜を用いるのが好ましい。この光干渉薄膜とは、ＳｉＯ２やＴｉＯ２等の無彩色材料を光の波長と同等な厚みを有する薄膜にしたものであり、薄膜内の光干渉により光を波長選択的に反射するものである。
【０１２３】
粒子の表面には、必要に応じて、外添剤を付着させてもよい。外添剤の色は、粒子の色に影響を与えないように、透明であることが好ましい。
【０１２４】
外添剤としては、酸化ケイ素（シリカ）、酸化チタン、アルミナ等の金属酸化物等の無機粒子が用いられる。粒子の帯電性、流動性、及び環境依存性等を調整するために、これらをカップリング剤やシリコーンオイルで表面処理することができる。
【０１２５】
カップリング剤には、アミノシラン系カップリング剤、アミノチタン系カップリング剤、ニトリル系カップリング剤等の正帯電性のものと、窒素原子を含まない（窒素以外の原子で構成される）シラン系カップリング剤、チタン系カップリング剤、エポキシシランカップリング剤、アクリルシランカップリング剤等の負帯電性のものがある。また、シリコーンオイルには、アミノ変性シリコーンオイル等の正帯電性のものと、ジメチルシリコーンオイル、アルキル変性シリコーンオイル、α−メチルスルホン変性シリコーンオイル、メチルフェニルシリコーンオイル、クロルフェニルシリコーンオイル、フッ素変性シリコーンオイル等の負帯電性のものが挙げられる。これらは外添剤の所望の抵抗に応じて選択される。
【０１２６】
上記外添剤の中では、よく知られている疎水性シリカや疎水性酸化チタンが好ましく、特に特開平１０−３１７７記載のＴｉＯ（ＯＨ）2と、シランカップリング剤等のシラン化合物との反応で得られるチタン化合物が好適である。シラン化合物としてはクロロシラン、アルコキシシラン、シラザン、特殊シリル化剤のいずれのタイプを使用することも可能である。このチタン化合物は、湿式工程の中で作製されるＴｉＯ（ＯＨ）2にシラン化合物あるいはシリコーンオイルを反応、乾燥させて作製される。数百度という焼成工程を通らないため、Ｔｉ同士の強い結合が形成されず、凝集が全くなく、粒子は一次粒子の状態である。さらに、ＴｉＯ（ＯＨ）2にシラン化合物あるいはシリコーンオイルを直接反応させるため、シラン化合物やシリコーンオイルの処理量を多くすることができて、シラン化合物の処理量等を調整することにより帯電特性を制御でき、且つ付与できる帯電能も従来の酸化チタンのそれより顕著に改善することができる。
【０１２７】
外添剤の一次粒子は、一般的には５〜１００ｎｍであり、１０〜５０ｎｍであることがより良いが、これに限定されない。
【０１２８】
外添剤と粒子の配合比は粒子の粒径と外添剤の粒径の兼ね合いから調整される。外添剤の添加量が多すぎると粒子表面から該外添剤の一部が遊離し、これが他方の粒子の表面に付着して、所望の帯電特性が得られなくなる。一般的には、外添剤の量は、粒子１００重量部に対して、０．０１〜３重量部、また０．０５〜１重量部であることがより良い。
【０１２９】
外添剤は、複数種類の粒子の何れか１種にだけ添加してもよいし、複数種または全種類の粒子へ添加してもよい。全粒子の表面に外添剤を添加する場合は、粒子表面に外添剤を衝撃力で打込んだり、粒子表面を加熱して外添剤を粒子表面に強固に固着したりすることが望ましい。これにより、外添剤が粒子から遊離し、異極性の外添剤が強固に凝集して、電界で解離させることが困難な外添剤の凝集体を形成することが防止され、ひいては画質劣化が防止される。
【０１３０】
本実施の形態では、１つのセル内に封入されている粒子群３４を構成する各粒子の色及び閾値電圧は所定の値に予め調整されているものとする。このため、上述した粒子を構成する材料を選択することで、所望の閾値電圧及び色を有する粒子群３４を調整することができる。
【０１３１】
粒子群３４を作製する方法としては、従来公知のどの方法を用いてもよい。例えば、特開平７−３２５４３４公報記載のように、樹脂、顔料および帯電制御剤を所定の混合比になるように計量し、樹脂を加熱溶融させた後に顔料を添加して混合、分散させ、冷却した後、ジェットミル、ハンマーミル、ターボミル等の粉砕機を用いて粒子を調製し、得られた粒子をその後分散媒に分散する方法が使用できる。また、懸濁重合、乳化重合、分散重合等の重合法やコアセルベーション、メルトディスパージョン、エマルジョン凝集法で帯電制御剤を粒子中に含有させた粒子を調製し、その後分散媒に分散して粒子分散媒を作成してもよい。さらにまた、樹脂が可塑化可能で、分散媒が沸騰せず、かつ、樹脂、帯電制御剤および／または着色剤の分解点より低温で、前記の樹脂、着色剤、帯電制御剤および分散媒の原材料を分散および混錬することができる適当な装置を用いる方法がある。具体的には、流星型ミキサー、ニーダー等で顔料と樹脂、帯電制御剤を分散媒中で加熱溶融し、樹脂の溶媒溶解度の温度依存性を利用して、溶融混合物を撹拌しながら冷却し、凝固／析出させて粒子を作成することができる。
【０１３２】
さらにまた、分散および混練のための粒状メデイアを装備した適当な容器、例えばアトライター、加熱したボールミル等の加熱された振動ミル中に上記の原材料を投入し、この容器を好ましい温度範囲、例えば８０〜１６０℃で分散および混練する方法が使用できる。粒状メデイアとしては、ステンレス鋼、炭素鋼等の鋼、アルミナ、ジルコニア、シリカ等が好ましく用いられる。この方法によって粒子を作成するには、あらかじめ流動状態にした原材料をさらに粒状メデイアによって容器内に分散させた後、分散媒を冷却して分散媒から着色剤を含む樹脂を沈殿させる。粒状メデイアは冷却中および冷却後にも引き続き運動状態を保ちながら、剪断および／または、衝撃を発生させ粒子径を小さくする。
【０１３３】
セル中の全質量に対する粒子群３４の含有量（質量％）としては、所望の色相が得られる濃度であれば特に限定されるものではなく、セルの厚さ（すなわち、表示基板２０と背面基板との基板間の距離）に応じて含有量を調整する。即ち、所望の色相を得るために、セルが厚くなるほど含有量は少なくなり、セルが薄くなるほど含有量を多くする。一般的には、０．０１〜５０質量％である。
【０１３４】
表示媒体１２における上記セルの大きさとしては、特に限定されないが、粒子群の表示面内の偏りによる表示濃度むらを防止するために、通常、表示媒体１２の表示基板２０の板面方向の長さが１０μｍ〜１ｍｍ程度である。
【０１３５】
上記表示基板２０及び背面基板２２を、間隙部材２４を介して互いに固定するには、ボルトとナットの組み合わせ、クランプ、クリップ、基板固定用の枠等の固定手段を使用することができる。また、接着剤、熱溶融、超音波接合等の固定手段も使用することができる。
【０１３６】
このように構成される表示媒体１２は、画像の保存及び書換えが可能な掲示板、回覧版、電子黒板、広告、看板、点滅標識、電子ペーパー、電子新聞、電子書籍、及び複写機・プリンタと共用できるドキュメントシート等に使用することができる。
【０１３７】
上記に示したように、本発明の実施の形態に係る表示装置１０は、表示媒体１２と、表示媒体１２に電圧を印加する電圧印加部１６と、制御部１８と、記憶部１４と、取得部１５と、を含んで構成されている（図１参照）。
【０１３８】
なお、表示媒体１２が本発明の表示装置の表示媒体に相当し、表示装置１０が本発明の表示装置に相当し、電圧印加部１６が、本発明の表示装置の電圧印加手段に相当する。また、制御部１８が、本発明の表示装置の制御手段に相当し、取得部１５が、本発明の表示装置の取得手段に相当し、記憶部１４が、本発明の表示装置の記憶手段に相当する。さらに、書込み装置９０が本発明の書込み装置に相当する。
【０１３９】
電圧印加部１６は、表面電極４０及び背面電極４６に電気的に接続されている。なお、本実施の形態では、表面電極４０及び背面電極４６の双方が、電圧印加部１６に電気的に接続されている場合を説明するが、表面電極４０及び背面電極４６の一方が、接地されており、他方が電圧印加部１６に接続された構成であってもよい。
【０１４０】
電圧印加部１６、記憶部１４、及び取得部１５は、制御部１８に信号授受可能に接続されている。
【０１４１】
制御部１８は、装置全体の動作を司るＣＰＵ（中央処理装置）と、各種データを一時的に記憶するＲＡＭ（Random  Access  Memory）と、装置全体を制御する制御プログラムや後述する図３に示す処理ルーチン（本発明の、表示プログラムに相当する）によって示される表示プログラムを含む各種プログラムが予め記憶されたＲＯＭ（Read Only Memory）と、を含むマイクロコンピュータとして構成されている。
【０１４２】
電圧印加部１６は、表面電極４０及び背面電極４６に電圧を印加するための電圧印加装置であり、制御部１８の制御に応じた電圧を表面電極４０及び背面電極４６間に印加する。取得部１５は、表示装置１０の装置外部から表示媒体１２に表示する画像の色を示す色情報を含む表示色情報を取得する。
なお、本実施の形態では、「表示色」とは、色相及び明度（濃度）を含むとして説明する。このため、「表示色情報」には、色相を示す情報と濃度を示す情報とが含まれている。また、下記記載において用いている表示媒体に表示する「色」についても、色相及び明度を含んだ表現であるとして説明する。
【０１４３】
取得部１５の一例には、有線通信網や無線通信網に接続するための接続ポートが挙げられる。また、取得部１５は、操作者の操作指示を受け付ける操作パネルであってもよく、この場合には、この操作パネルとしての取得部１５の表示色情報指示のための操作指示が操作者によってなされることによって、取得部１５は表示色情報を取得するようにすればよい。
【０１４４】
記憶部１４は、記憶領域１４Ａ等の各種テーブルや、濃度飽和電圧の濃度飽和電圧情報や、各種データ等を予め記憶すると共に、各種データを記憶する。
【０１４５】
記憶領域１４Ａは、本実施の形態では、表示する画像の表示色を示す色情報と、閾値電圧を示す閾値電圧情報と、閾値電圧を超える電圧（本発明の表示装置における第１の電圧に相当する。以下、「表示駆動電圧」と称して説明する）を示す表示駆動電圧情報（本発明の表示装置における第１の電圧情報に相当する。）と、該表示駆動電圧を印加するときの極性を示す極性情報と、表示駆動電圧の印加時間を示す印加時間情報と、を対応づけて記憶した領域である。
【０１４６】
記憶領域１４Ａに記憶されている色情報とは、表示媒体１２に表示する画像の色を示す情報である。閾値電圧情報とは、表示媒体１２内の粒子群３４の閾値電圧を示す情報である。
【０１４７】
極性情報は、正極を示す正極情報または負極を示す負極情報であって、本実施の形態では、極性情報が正極情報である場合には、表面電極４０側を正極とし背面電極４６側を負極とすることを示し、極性情報が負極情報である場合には、表面電極４０側を負極とし背面電極４６側を正極とすることを示しているが、反対の設定であってもよい。
【０１４８】
記憶領域１４Ａに記憶されている表示駆動電圧情報とは、粒子群３４の閾値電圧を超える電圧値を示す情報であって、対応する色情報の色の画像を表示するために表面電極４０及び背面電極４６に印加する電圧の電圧値を示す情報である。
印加時間情報とは、対応する色情報の色の画像を表示するために表面電極４０及び背面電極４６に印加する表示駆動電圧の印加時間を示す情報である。
【０１４９】
上記表示駆動電圧の電圧値は、粒子群３４の閾値電圧を超える電圧であればよいが、その値は、この表示駆動電圧を印加する印加時間に応じて該閾値電圧を超える電圧の範囲内から濃度、すなわち表示する色の明度（濃度）に応じて定めればよい。なお、同じ明度の画像を表示する場合には、表示駆動電圧を高い値に定めるほど表示駆動電圧の印加時間は短く設定する必要があり、表示駆動電圧を低い値に設定するほど表示駆動電圧の印加時間は長く設定する必要がある。
【０１５０】
すなわち、記憶領域１４Ａには、表示媒体１２に所定の色の画像を表示するときに、表面電極４０と背面電極４６との電極間に印加する表示駆動電圧の電圧値と、印加時間と、表示駆動電圧の極性と、が少なくとも記憶されている。
【０１５１】
これらの色情報、極性情報、閾値電圧情報、表示駆動電圧情報、及び印加時間情報、及び濃度飽和電圧情報は、画像表示処理前に予め測定して、記憶領域１４Ａに予め記憶するようにすればよい。この記憶領域１４Ａへの記憶は、表示プログラムの図示しない処理に行うようにすればよい。
【０１５２】
ここで、記憶領域１４Ａには、上述のように、色情報と、閾値電圧情報と、表示駆動電圧情報と、極性情報と、印加時間情報と、を対応づけて記憶していることから、所定の色を表示するための、色情報、閾値電圧情報、及び極性情報に対応する表示駆動電圧情報の表示駆動電圧及び印加時間情報の印加時間は、例えば、印加時間を一定にして表示駆動電圧を調整することで所定の色を表示するための表示駆動電圧を定めても良いし、印加時間及び表示駆動電圧の双方を調整して、所定の色を表示させるための印加時間及び表示駆動電圧を定めても良い。そして、定めた印加時間の印加時間情報及び表示駆動電圧の表示駆動電圧情報を、対応する色情報、閾値電圧情報、及び極性情報に対応づけて記憶領域１４Ａに記憶するようにすればよい。このように、色情報、閾値電圧情報、及び極性情報に対応する表示駆動電圧情報及び印加時間情報の内の、印加時間情報を一定にして表示駆動電圧情報を制御することで所望の色を表示することができるように、記憶領域１４Ａに記憶するデータを予め設定してもよいし、印加時間情報及び表示駆動電圧情報の双方を制御することで所望の色を表示することができるように、記憶領域１４Ａに記憶するデータを予め設定してもよい。
【０１５３】
次に、表示装置１０の作用を、図３を用いて説明する。
【０１５４】
なお、図３は、表示媒体１２に所定色の画像を表示するときに、制御部１８によって実行される表示プログラムの流れを示すフローチャートであり、この表示プログラムは、制御部１８の図示を省略するＲＯＭの所定の領域に予め記憶されて、制御部１８内の図示を省略するＣＰＵから読み出されることで実行される。
【０１５５】
また、表示媒体１２に封入されている粒子群３４は、黒色であり且つ負極性に帯電されている場合を説明する。また、分散媒５０は、白色に着色されているものとして説明する。すなわち、本実施の形態では、表示媒体１２は、粒子群３４の移動によって黒色または白色を表示する場合を説明する。
【０１５６】
ここで、この粒子群３４は、表面電極４０と背面電極４６との電極間に印加された電圧に対して、図２に示す閾値特性を取ることを前提とする。すなわち、粒子群３４の閾値電圧の電圧値は｜Ｖｋ｜であり、濃度飽和電圧は、｜Ｖｋ’｜であるものとして説明する。
【０１５７】
また、記憶領域１４Ａには、粒子群３４が図２に示す閾値特性を有するものとして、色情報、極性情報、表示駆動電圧情報、印加時間情報、及び閾値電圧情報、が予め対応づけて記憶されているものとする。
【０１５８】
ステップ１００では、取得部１５から表示色情報を取得したか否かを判別し、否定されると本ルーチンを終了し、肯定されると、ステップ１０１へ進む。なお、ステップ１００の処理が、本発明の表示プログラムの取得ステップに相当する。
【０１５９】
ステップ１０２では、まず、初期動作として、記憶部１４から濃度飽和電圧情報を読み取り、次のステップ１０２において、読み取った濃度飽和電圧情報の濃度飽和電圧以上の電圧を、Ｔ１時間、表面電極４０が負極となり背面電極４６が正極となるように印加することを示す初期動作信号を、電圧印加部１６へ出力する。
【０１６０】
このＴ１時間は、初期動作における電圧印加における電圧印加時間を示す情報として、予め制御部１８内の図示を省略するＲＯＭ等のメモリまたは記憶部１４に記憶しておけばよい。そして、ステップ１０２の処理実行のときに、このＴ１時間を示す情報を読み取るようにすればよい。
【０１６１】
初期動作信号を受け付けた電圧印加部１６は、表面電極４０と背面電極４６との電極間に、初期動作信号に含まれる濃度飽和電圧情報の濃度飽和電圧｜Ｖｋ’｜以上の電圧を、表面電極４０を負極とし背面電極４６を正極としてＴ１時間継続して印加する。
【０１６２】
ステップ１０２の処理によって、基板間に負極で且つ濃度飽和電圧以上の電圧が印加されると、負極に帯電している粒子群３４を構成する粒子が背面基板２２側へと移動して、背面基板２２に到る（図４（Ａ）参照）。
このとき、表示基板２０側から視認される表示媒体１２の色は、分散媒５０の色としての白色として視認される。
【０１６３】
ここで、次に、表面電極４０と背面電極４６との電極間に、ステップ１０２の処理により基板間に印加した電圧とは極性を反転させて、表面電極４０を正極とし背面電極４６を負極として粒子群３４の閾値電圧以上の電圧を印加すると、好適な状態では、図４（Ｂ）に示すように、粒子群３４は表示基板２０側へと移動して表示基板２０側に到達し、粒子群３４による黒表示がなされる。
【０１６４】
ここで、粒子群３４の一部の粒子を移動させて表示基板２０側または背面基板２２側に到達する粒子の量を調整することで、表示媒体１２における階調表現（すなわち濃度調整）を行う場合に、粒子群３４を構成する複数の粒子の一部が表示基板２０側に到達せずに、表示基板２０と背面基板２２との基板間に浮遊した状態となる場合がある（図４（Ｃ）の点線５２内の粒子群３４Ｂ参照）。
【０１６５】
また、粒子の帯電状態の変化等が発生した場合にも、図４（Ｃ）に示すように粒子の一部が表示基板２０と背面基板２２との基板間に浮遊した状態となる場合がある。
【０１６６】
そこで、次のステップ１０４では、記憶部１４に記憶されている記憶領域１４Ａから、上記ステップ１００で取得した表示色情報に含まれる色情報に対応する、極性情報、表示駆動電圧情報、及び印加時間情報を読み取り、次のステップ１０６において、読み取った極性情報、表示駆動電圧情報、及び印加時間情報を含む電圧印加信号を、電圧印加部１６へ出力する。なおステップ１０４及びステップ１０６の処理が、本発明の表示プログラムの第１の電圧印加ステップに相当する。
【０１６７】
本実施の形態では、ステップ１０４の処理によって、ステップ１００で取得した色情報に対応する極性情報、表示駆動電圧情報、及び印加時間情報として、記憶領域１４Ａから正極情報と、閾値電圧｜Ｖｋ｜より大きく且つ濃度飽和電圧｜Ｖｋ’｜より小さい値の表示駆動電圧情報、及び印加時間Ｔ２を示す印加時間情報を読み取るものとする。
【０１６８】
なお、本実施の形態では、表示駆動電圧として閾値電圧｜Ｖｋ｜より大きく且つ濃度飽和電圧｜Ｖｋ’｜より小さい値を用いる場合を説明するが、表示駆動電圧は、閾値電圧｜Ｖｋ｜を超える値であればよく、濃度飽和電圧｜Ｖｋ’｜以上であっても以下であってもよい。
【０１６９】
また、上記印加時間Ｔ２は、対応する表示駆動電圧を印加したときに所定明度及び色相の色の画像を表示するために該表示駆動電圧を継続印加する時間として、予め測定されて記憶領域１４Ａに記憶されているものとする。
【０１７０】
電圧印加信号を受け付けた電圧印加部１６は、電圧印加信号に含まれる極性情報（本実施の形態では正極情報）に応じて、表面電極４０を正極とし背面電極４６を負極として、電圧印加信号に含まれる表示駆動電圧情報の表示駆動電圧を、印加時間情報の印加時間継続して印加する。
【０１７１】
ステップ１０６の処理によって、表示媒体１２は、例えば、図４（Ｃ）に示すように、負極に帯電されている粒子群３４の内の一部が印加された表示駆動電圧及び表示駆動電圧の印加時間に応じて、背面基板２２側から表示基板２０側へと移動する。
【０１７２】
このとき、表示基板２０に到達せずに表示基板２０と背面基板２２との基板間に浮遊している粒子（図４（Ｃ）中、点線５２内の粒子群３４Ｂ参照）は、ステップ１０６の処理後には浮遊した状態にあるが、経時的に表示基板２０に到達することで、目的とする明度（濃度）とは異なる濃度の色表示がなされる場合がある。
【０１７３】
そこで、ステップ１０８では、上記ステップ１０６で印加した表示駆動電圧の極性とは逆極性であり、且つ粒子群３４の閾値電圧以下の電圧を印加するように、電圧印加部１６を制御する。このステップ１０４の処理が、本発明の表示プログラムの第２の電圧印加ステップに相当する。
【０１７４】
具体的には、上記ステップ１０６で印加した表示駆動電圧の極性を示す極性情報と、粒子群３４の閾値電圧を記憶部１４から読取り、読み取った極性情報の極性とは逆極性の極性を示す極性情報と、閾値電圧以下の電圧を示す電圧情報と、この電圧の電圧印加時間Ｔ３を示す情報と、を含む調整電圧信号を電圧印加部１６へ出力した後に、本ルーチンを終了する。
【０１７５】
なお、本実施の形態では、負極性を示す極性情報と、閾値電圧｜Ｖｋ｜以下の電圧を示す電圧情報と、電圧印加時間Ｔ３を示す情報と、を含む調整電圧信号を電圧印加部１６へ出力する。
【０１７６】
この時間Ｔ３は、上記ステップ１０６の処理によって表示対象となる色の画像を表示するための上記電圧印加信号を電圧印加部１６に出力した後の、調整電圧印加における電圧印加時間を示す情報として、予め制御部１８内の図示を省略するＲＯＭ等のメモリまたは記憶部１４に記憶しておけばよい。そして、ステップ１０８の処理実行のときに、このＴ３時間を示す情報を読み取るようにすればよい。
【０１７７】
なお、この時間Ｔ３は、上記ステップ１０６で印加した表示駆動電圧の極性とは逆極性の閾値電圧以下の電圧を印加することで、浮遊粒子が、上記ステップ１０６の処理による粒子群３４の粒子の移動方向とは逆方向に移動して、表示基板２０または背面基板２２側に到達するために必要な時間以上の時間を、予め測定して定めるようにすればよい。
【０１７８】
上記調整電圧信号に含まれる閾値電圧以下の電圧は、粒子群３４の閾値電圧以下の値であればよいが、浮遊粒子をより速く基板側へと移動させるために、閾値電圧または閾値電圧により近い値であることが好ましい。
【０１７９】
調整電圧信号を受け付けた電圧印加部１６は、表面電極４０と背面電極４６との電極間に、調整電圧信号に含まれる電圧情報の電圧を、極性情報に応じて、正極情報の場合には表面電極４０を正極とし背面電極４６を負極とし、負極情報の場合には表面電極４０を負極とし背面電極４６を正極として、時間Ｔ３の間継続して印加する。
【０１８０】
ステップ１０８の処理によって、上記ステップ１０６の処理によって表示基板２０側に到達した粒子（図４（Ｃ）粒子３４Ａ参照）は表示基板２０側に保持されたままで、ステップ１０６の処理によって発生した浮遊粒子（図４（Ｃ）中、点線５２内の粒子群３４Ｂ参照）が背面基板２２側へと移動し、図４（Ｄ）に示すように背面基板２２へと到達する。
【０１８１】
以上説明したように、本実施の形態の表示装置によれば、取得した表示色情報に含まれる色情報に対応する、極性情報、表示駆動電圧情報、及び印加時間情報に基づいて、粒子群３４の閾値電圧を超える表示駆動電圧を基板間に印加した後に、印加した表示駆動電圧の極性を反転させた極性の、この閾値電圧以下の電圧を基板間に印加する。
【０１８２】
このため、表示基板２０側には、粒子群３４を構成する粒子の内、上記ステップ１００で取得した表示色情報に応じた色を表現可能な数の粒子が保持され、表示基板２０と背面基板２２との基板間に浮遊した浮遊粒子は背面基板２２側へ移動して背面基板２２側に保持されるので、浮遊粒子の発生が抑制される。
【０１８３】
（第２の実施の形態）
上記実施の形態では、表示媒体１２内の分散媒５０を予め着色された分散媒とすることによって、粒子群３４の色と、分散媒５０の色と、の２色を表現する場合を説明したが、図５に示すように、表示媒体５４内に、粒子群３４が移動可能な空隙を有する空隙部材が封入された構成であってもよい。
【０１８４】
具体的には、本実施の形態の表示装置５６は、表示媒体５４と、書込み装置９０と、を含んで構成されている。なお、前述した実施の形態と同一構成には同一符号を付与し、その説明は省略する。
【０１８５】
表示媒体５４は、画像表示面とされる表示基板２０、表示基板２０に間隙をもって対向する背面基板２２、これらの基板間を所定間隔に保持すると共に、表示基板２０と背面基板２２と基板間を複数のセルに区画する間隙部材２４、及び各セル内に封入された粒子群３４を含んで構成されているとともに、表示基板２０と背面基板２２と基板間のセル内に、空隙部材としての大径着色粒子群３６が封入されている。
【０１８６】
大径着色粒子群３６は、粒子群３４を構成する各粒子より大きな粒径で、且つ粒子群３４の色とは異なる色に着色されており、粒子群３４による色とは異なる色を表示媒体５４に表示させるための部材である。本実施の形態では、大径着色粒子群３６は白色である場合を説明するが、この色に限定されることはない。
【０１８７】
大径着色粒子群３６は、例えば、酸化チタンや酸化ケイ素、酸化亜鉛などの白色顔料を、ポリスチレンやポリエチレン、ポリプロピレン、ポリカーボネート、ＰＭＭＡ、アクリル樹脂、フェノール樹脂、ホルムアルデヒド縮合物などに分散した粒子が使用できる。また、着色部材を構成する粒子として、白色以外の粒子を適用する場合、例えば、所望の色の顔料、あるいは染料を内包した前記した樹脂粒子を使用することができる。顔料や染料は、例えばＲＧＢやＹＭＣ色であれば、印刷インキやカラートナーに使用されている一般的な顔料あるいは染料を使用できる。
【０１８８】
大径着色粒子群３６を基板間へ封入するには、例えば、電子写真法やトナージェット法などにより行う。また、大径着色粒子群３６を固定化する場合、例えば、大径着色粒子群３６を封入した後、加熱（及び必要があれば加圧）して、大径着色粒子群３６の粒子群表層を溶かすことで、粒子間隙を維持させつつ行うことができる。
【０１８９】
なお、表示媒体５４を構成する各部材（着色部材以外）の詳細は、例えば特開２００１−３１２２５号公報に記載されたものを用いることができる。
【０１９０】
この表示装置５６の制御部１８では、上記第１の実施の形態と同様の処理が行われるため説明を省略する。
【０１９１】
（第３の実施の形態）
本実施の形態では、上記実施の形態で説明した表示媒体１２及び表示媒体５４の構成に、更に多孔質部材５８を設けた構成を説明する。
【０１９２】
図６に示すように、本実施の形態の表示装置６０は、表示媒体６２と、書込み装置９０と、を含んで構成されている。なお、前述した実施の形態と同一構成には同一符号を付与し、その説明は省略する。
【０１９３】
表示媒体６２は、画像表示面とされる表示基板２０、表示基板２０に間隙をもって対向する背面基板２２、これらの基板間を所定間隔に保持すると共に、及び表示基板２０と背面基板２２との基板間を複数のセルに区画する間隙部材２４を含んで構成され、セル内には、粒子群３４、大径着色粒子群３６、及び多孔質部材５８が設けられている。
【０１９４】
多孔質部材５８は、透明であって、層状に構成され、表示基板２０上に積層されて構成されている。多孔質部材５８の孔は粒子群３４が孔内を通じて、表示基板２０側または背面基板２２側へ移動することができるものである。また、多孔質部材５８は、セル内に充填されている分散媒と同等或いは近い屈折率のものを適用することが好適である。これにより、屈折率が異なることによる散乱反射を抑えることができ、目視性の悪化（白く濁った表示状態）が防止される。
【０１９５】
また、多孔質部材５８の厚みは、粒子群３４の粒径の体積平均粒径以上の距離であることがよい。これにより、多孔質部材５８の孔内に粒子群３４の各粒子が入り込んで、表示基板２０側に到達し、十分な表示濃度を実現することができる。
【０１９６】
この多孔質部材５８としては、例えば、例えばゼラチンなどの多孔質体、多孔質シリカ、ポリアクリルアミドなどの編目構造を持った高分子などを使用することができる。また、アクリル樹脂やスチレン樹脂などの熱可塑性を有する透明樹脂で形成された、例えば大径白色粒子と同程度の大きさの粒子を使用し、これを所望量だけ表示基板上に並べて加熱融着させることで多孔構造の層を作製することができる。
【０１９７】
この表示装置６０の制御部１８では、上記第１の実施の形態の処理が行われるため説明を省略する。
【０１９８】
（第４の実施の形態）
上記実施の形態では、背面基板２２が着色されていない場合を説明したが、背面基板２２が着色された構成であってもよい。
【０１９９】
図７に示すように、本実施の形態の表示装置６４は、表示媒体６６と、書込み装置９０と、を含んで構成されている。なお、前述した実施の形態と同一構成には同一符号を付与し、その説明は省略する。
【０２００】
表示媒体６６は、画像表示面とされる表示基板２０、表示基板２０に間隙をもって対向する背面基板２２、これらの基板間を所定間隔に保持すると共に、及び表示基板２０と背面基板２２と基板間を複数のセルに区画する間隙部材２４を含んで構成され、セル内には、粒子群３４が封入されている。
【０２０１】
間隙部材２４には、同じセル内の向かい合う面に電極が設けられている。なお、図７には、説明を簡易化するために１つのセル内の一対の間隙部材２４が設けられている場合を示しており、この一対の間隙部材２４の内の一方の間隙部材２４に電極６８Ａが設けられ、他方の間隙部材２４に電極６８Ｂが設けられている場合を示している。なお、本実施の形態では電極６８Ａ及び電極６８Ｂを総称する場合に、電極６８と称して説明する。
【０２０２】
表示基板２０は、支持基板３８上に、表面電極４０及び表面層４２を順に積層した構成となっている。
【０２０３】
背面基板２２は、支持基板４４上に、粒子群３４とは異なる色に着色された着色基板６９、背面電極４６、及び表面層４８を順に積層した構成となっている。セル内の粒子群３４が電極６８Ａ側または電極６８Ｂ側に移動することによって、着色基板６９の色が表示媒体６６の色として視認される。
【０２０４】
本実施の形態では、上記第１の実施の形態において説明した図３に示すフローチャートが実行されることによる処理に加えて、さらに、電極６８Ａ及び電極６８Ｂ間に電圧を印加することで、表示媒体６６に、取得部１５によって取得した色情報に応じた色（色相及び濃度）の画像を表示することができる。
【０２０５】
この場合、記憶領域１４Ａに、色情報に対応づけて、さらに表面電極４０及び背面電極４６間に電圧を印加することを示す情報、または電極６８Ａ及び電極６８Ｂ間に電圧を印加することを示す情報を、記憶するようにすればよい。
【０２０６】
この表示装置６４の制御部１８では、上記第１の実施の形態と同じ処理が行われるため説明を省略する。
なお、本実施の形態では、背面基板２２が着色されていることから、表示媒体６６に表示する画像の色に応じた電圧が、表面電極４０と背面電極４６との電極間、または電極６８Ａ及び電極６８Ｂ間に印加されることで、背面基板２２が粒子群３４により覆われた状態（図７（Ａ）参照）、または粒子群３４が電極６８Ａまたは電極６８Ｂ側に移動して背面基板２２が粒子群３４により覆われていない状態（図７（Ｂ）参照）を作ることによって、上記実施の形態に比べて、さらなる多色表示が可能となる。
【０２０７】
なお、本実施の形態では、表示媒体６６の表面基板２０側に表面電極４０が設けられ、背面基板２２側に背面電極４６が設けられている場合を説明したが、表面基板側に電極が設けられていない構成であってもよい。
【０２０８】
具体的には、図１４に示すように、表示媒体６７を、表示基板２０Ａと、背面基板２２Ｂと、間隙部材２４と、セル内に封入された粒子３４と、で構成すると共に、向かい合う間隙部材２４の一方に電極６８Ａ、他方に電極６８Ｂを設けた構成において、表面基板２０Ａを支持基板３８上に表面層４２を積層した構成とし、背面基板２２Ｂを、支持基板４４上に、表面電極４０及び背面電極４６、表面層４８を順に積層した構成とすればよい。そして、表面電極４０及び背面電極４６各々を電圧印加部１６に信号授受可能に接続すればよい。
【０２０９】
（第５の実施の形態）
上記実施の形態では、表示媒体の各セル内に同じ色及び閾値特性を有する１種類の粒子群３４が封入されている場合を説明したが、本実施の形態では、同じセル内に、色及び閾値特性の異なる複数種類の粒子群が封入されている場合を説明する。
【０２１０】
図８に示すように、本実施の形態の表示装置７０は、表示媒体７２と、書込み装置９２と、を含んで構成されている。
【０２１１】
書込み装置９２は、電圧印加部１６と、制御部１９と、記憶部２１と、取得部１５と、を含んで構成されている。電圧印加部１６と、記憶部２１と、取得部１５と、は、制御部１９に信号授受可能に接続されている。制御部１９は、制御部１８と同じように、ＣＰＵ、ＲＯＭ、ＲＡＭを含むマイクロコンピュータとして構成されており、図示を省略するＲＯＭに後述する図１１に示す処理ルーチンによって示される表示プログラムが予め記憶されている。
なお、本実施の形態では、前述した実施の形態と同一構成には同一符号を付与し、その説明は省略する。
【０２１２】
表示媒体７２は、画像表示面とされる表示基板２０、表示基板２０に間隙をもって対向する背面基板２２、これらの基板間を所定間隔に保持すると共に、表示基板２０と背面基板２２との基板間を複数のセルに区画する間隙部材２４、及び各セル内に封入された粒子群３５を含んで構成されている。
【０２１３】
粒子群３５は、互いに色及び閾値特性の異なる複数種類の粒子群から構成されている。すなわち、粒子群３５は、互いに色及び閾値電圧の異なる複数種類の粒子群から構成されている。
【０２１４】
例えば、表示媒体７２の同一セル内に封入されている粒子群３５として、図８に示すように、マゼンタ色のマゼンタ粒子群３５Ｍ、シアン色のシアン粒子群３５Ｃ、及びイエロー色のイエロー粒子群３５Ｙが封入されている場合には、マゼンタ粒子群３５Ｍ、シアン粒子群３５Ｃ、及びイエロー粒子群３５Ｙ各々の群に属する粒子の閾値電圧が、粒子群の種類（マゼンタ粒子群３５Ｍ、シアン粒子群３５Ｃ、及びイエロー粒子群３５Ｙ）毎に異なる。
【０２１５】
表示媒体７２で用いる複数種類の粒子群３５（イエロー粒子群３５Ｙ、マゼンタ粒子群３５Ｍ、及びシアン粒子群３５Ｃ）の閾値電圧が、イエロー粒子群３５Ｙ、マゼンタ粒子群３５Ｍ、シアン粒子群３５Ｃの順に小さくなるとすると、図９に示すように、表示基板２０と背面基板２２との基板間に電圧値Ｖｃの電圧が印加されたときに、表示媒体７２におけるシアン粒子群３５Ｃの移動による表示濃度の変化が生じる程度の濃度変化が生じる。さらに、電圧値Ｖｃより大きい電圧値としての電圧値Ｖｃ’の電圧が印加されたときに、シアン粒子群３５Ｃの移動による表示濃度の変化が終了する。
【０２１６】
さらに、電圧値Ｖｃ’より大きい電圧値として電圧値Ｖｍの電圧が印加されたときに、マゼンタ粒子群３５Ｍの基板間の移動により表示濃度の変化が生じる程度の濃度変化が生じる。さらに、電圧値Ｖｍより大きい電圧値としての電圧値Ｖｍ’の電圧が印加されたときに、マゼンタ粒子群３５Ｍの移動による表示濃度の変化が終了する。
【０２１７】
さらに、電圧値Ｖｍ’より大きい電圧値として電圧値Ｖｙの電圧が印加されたときに、イエロー粒子群３５Ｙの基板間の移動により表示濃度の変化が生じる程度の濃度変化が生じる。さらに、電圧値Ｖｙより大きい電圧値としての電圧値Ｖｙ’の電圧が印加されたときに、イエロー粒子群３５Ｙの移動による表示濃度の変化が終了する。
【０２１８】
また、表示基板２０と背面基板２２との基板間に電圧値−Ｖｃの電圧が印加されたときに、表示媒体７２におけるシアン粒子群３５Ｃの移動による表示濃度の変化が生じる程度の濃度変化が生じる。さらに、電圧値−Ｖｃより絶対値の大きい電圧値としての電圧値−Ｖｃ’の電圧が印加されたときに、シアン粒子群３５Ｃの移動による表示濃度の変化が終了する。
【０２１９】
さらに、電圧値−Ｖｃ’の絶対値より絶対値の大きい電圧値として電圧値−Ｖｍの電圧が印加されたときに、マゼンタ粒子群３５Ｍの基板間の移動により表示濃度の変化が生じる程度の濃度変化が生じる。さらに、電圧値−Ｖｍより絶対値の大きい電圧値としての電圧値−Ｖｍ’の電圧が印加されたときに、マゼンタ粒子群３５Ｍの移動による表示濃度の変化が終了する。
【０２２０】
さらに、電圧値−Ｖｍ’の絶対値より絶対値の大きい電圧値として電圧値−Ｖｙの電圧が印加されたときに、イエロー粒子群３５Ｙの基板間の移動により表示濃度の変化が生じる程度の濃度変化が生じる。さらに、電圧値−Ｖｙより絶対値の大きい電圧値としての電圧値−Ｖｙ’の電圧が印加されたときに、イエロー粒子群３５Ｙの移動による表示濃度の変化が終了する。
【０２２１】
このように、表示媒体７２内に封入されている複数種類の粒子群３５（イエロー粒子群３５Ｙ、マゼンタ粒子群３５Ｍ、及びシアン粒子群３５Ｃ）は、種類毎に、色、及び各粒子群によって示される色の、表示濃度の変化が現れ始める電圧としての閾値電圧（上記｜Ｖｃ｜、｜Ｖｙ｜、｜Ｖｍ｜）が異なる。また、種類毎に、濃度飽和電圧（上記｜Ｖｃ’｜、｜Ｖｙ’｜、｜Ｖｍ’｜）が異なる。
【０２２２】
この粒子群３５を構成する粒子としては、第１の実施の形態で説明した粒子群３４を構成する材料として挙げた材料を用いることによって構成し、且つ粒子群３４と同じ方法で製造することができる。
【０２２３】
粒子群３５の閾値電圧を、各色の粒子群３５（イエロー粒子群３５Ｙ、マゼンタ粒子群３５Ｍ、及びシアン粒子群３５Ｃ）毎に異ならせる方法としては、第１の実施の形態で説明した閾値電圧を調整する方法を用いて、粒子群の種類毎に閾値電圧が異なるように、各種類の粒子群３５（イエロー粒子群３５Ｙ、マゼンタ粒子群３５Ｍ、及びシアン粒子群３５Ｃ）の静電力と拘束力とを調整すればよい。
【０２２４】
すなわち、第１の実施の形態で説明したように、粒子の平均帯電量、各粒子表面の分散媒に対する流動抵抗、平均磁気量（磁化の強さ）、粒子の粒径、及び粒子の形状係数の内の、何れか１つまたは複数を各種類の粒子群毎に調整し、その他の構成を各種類の粒子群毎に所定の値に調整することによって、種類毎に閾値電圧の異なる粒子群３５を調整することができる。
【０２２５】
上記粒子の平均帯電量、各粒子表面の分散媒に対する流動抵抗、平均磁気量（磁化の強さ）、粒子の粒径、及び粒子の形状係数は、第１の実施の形態で説明した方法を用いて、調整すればよい。
【０２２６】
ここで、図１０を参照して、表示媒体７２に色表示するときの粒子移動のメカニズムを説明する。
【０２２７】
例えば、表示媒体７２に、色及び電界に応じて移動を開始する電界強度が互いに異なる複数種類の粒子群として、図９で説明した閾値特性を有するイエロー粒子群３５Ｙ（閾値電圧Ｖｃ）、イエロー粒子群３５Ｙより閾値電圧の小さいマゼンタ粒子群３５Ｍ（閾値電圧Ｖｍ）、マゼンタ粒子群３５Ｍより閾値電圧の小さいシアン粒子群３５Ｃ（閾値電圧Ｖｃ）が封入されているものとして説明する。
【０２２８】
図１０（Ａ）に示すように、初期状態ではマゼンタ粒子群３５Ｍ、シアン粒子群３５Ｃ、及びイエロー粒子群３５Ｙが背面基板２２側に位置されているとすると、この初期状態から、表示基板２０と背面基板２２との基板間に正極性の閾値電圧Ｖｙを超える電圧として、例えば、濃度飽和電圧Ｖｙ’が印加されると、全粒子群３５として、マゼンタ粒子群３５Ｍ、シアン粒子群３５Ｃ、及びイエロー粒子群３５Ｙが表示基板２０側に移動する。この状態で、印加電圧をゼロにしても、各粒子群各々は表示基板２０側に付着したまま移動せずに、マゼンタ粒子群３５Ｍ、シアン粒子群３５Ｃ、及びイエロー粒子群３５Ｙによる減色混合（マゼンタと、シアンと、イエロー色の減色混合）により黒色を表示したままの状態となる。（図１０（Ｂ）参照）。
【０２２９】
次に、図１０（Ｂ）の状態から、表示基板２０と背面基板２２との基板間に、負極性の閾値電圧Ｖｍを超える電圧であって、負極性の閾値電圧Ｖｙを超えない電圧が印加されると、全粒子群３５の内、イエロー粒子群３５Ｙの次に閾値電圧の大きいマゼンタ粒子群３５Ｍと、最も閾値電圧の低いシアン粒子群３５Ｃと、が背面基板２２側に移動する。このため、表示基板２０側にはイエロー粒子群３５Ｙだけが付着した状態となることから、イエロー色表示がなされる（図１０（Ｃ）参照）。
【０２３０】
さらに、図１０（Ｃ）の状態から、表示基板２０と背面基板２２との基板間に正極性の閾値電圧Ｖｃを超える電圧であって、正極性の閾値電圧Ｖｍ未満の電圧が印加されると、背面基板２２側に移動したマゼンタ粒子群３５Ｍ及びシアン粒子群３５Ｃの内、電圧Ｖｃを閾値電圧とするシアン粒子群３５Ｃが表示基板２０側に移動する。このため、表示基板２０側には、イエロー粒子群３５Ｙ及びシアン粒子群３５Ｃが付着した状態となり、イエローとシアンとの減色混合による緑色が表示される（図１０（Ｄ）参照）。
【０２３１】
また、上記図１０（Ｂ）の状態から、表示基板２０と背面基板２２との基板間に負極性の閾値電圧Ｖｃを超える電圧であって、且つ負極性の閾値電圧Ｖｍ未満の電圧が印加されると、全粒子群３５の内の最も閾値の低いシアン粒子群３５Ｃが背面基板２２側に移動する。このため、表示基板２０側にはイエロー粒子群３５Ｙとマゼンタ粒子群３５Ｍが付着した状態となることから、シアンとマゼンタの加色混合による赤色表示がなされる（図１０（Ｉ）参照）。
【０２３２】
一方、図１０（Ａ）に示す上記初期状態から、表示基板２０と背面基板２２との基板間に正極性の閾値電圧Ｖｍを超える電圧であって且つ正極性の閾値電圧Ｖｙ未満の電圧が印加されると、全粒子群（マゼンタ粒子群３５Ｍ、シアン粒子群３５Ｃ、及びイエロー粒子群３５Ｙ）の内、最も閾値電圧の大きいイエロー粒子群３５Ｙ以外のマゼンタ粒子群３５Ｍとシアン粒子群３５Ｃとが表示基板２０側に移動する。このため、表示基板２０側には、マゼンタ粒子群３５Ｍとシアン粒子群３５Ｃとが付着するので、マゼンタとシアンの減色混合による青色が表示される（図１０（Ｅ）参照）。
【０２３３】
この図１０（Ｅ）の状態から、表示基板２０と背面基板２２との基板間に負極性の閾値電圧Ｖｃを超える電圧であって且つ負極性の閾値電圧Ｖｍ未満の電圧が印加されると、表示基板２０側に付着しているマゼンタ粒子群３５Ｍとシアン粒子群３５Ｃの内の、Ｖｃを閾値電圧とするシアン粒子群３５Ｃが背面基板２２側に移動する。
このため、表示基板２０側には、マゼンタ粒子群３５Ｍだけが付着した状態となるので、マゼンタ色が表示される（図１０（Ｆ）参照）。
【０２３４】
この図１０（Ｆ）の状態から、表示基板２０と背面基板２２との基板間に負極性の閾値電圧Ｖｍを超える電圧であって、且つ負極性の閾値電圧Ｖｙ未満の電圧が印加されると、表示基板２０側に付着しているマゼンタ粒子群３５Ｍが背面基板２２側に移動する。
このため、表示基板２０側には、何も付着しない状態となるため、分散媒５０の色としての白色が表示される（図１０（Ｇ）参照）。
【０２３５】
また、上記図１０（Ａ）に示す上記初期状態から、表示基板２０と背面基板２２との基板間に正極性の閾値電圧Ｖｃを超える電圧であって、且つ正極性の閾値電圧Ｖｍ未満の電圧が印加されると、全粒子群３５（マゼンタ粒子群３５Ｍ、シアン粒子群３５Ｃ、及びイエロー粒子群３５Ｙ）の内、最も閾値電圧の低いシアン粒子群３５Ｃが表示基板２０側に移動する。このため、表示基板２０側には、シアン粒子群３５Ｃが付着するので、シアン色が表示される（図１０（Ｈ）参照）。
【０２３６】
さらに、上記図１０（Ｉ）に示す状態から、表示基板２０と背面基板２２との基板間に負極性の閾値電圧Ｖｙを超える電圧として、例えば、負極性の濃度飽和電圧Ｖｙ’が印加されると、図１０（Ｇ）に示すように全粒子群３５が背面基板２２側に移動して白色表示がなされる。
また、上記図１０（Ｄ）に示す状態から、表示基板２０と背面基板２２との基板間に負極性の閾値電圧Ｖｙを超える電圧として、負極性の濃度飽和電圧Ｖｙ’が印加されると、図１０（Ｇ）に示すように全粒子群３５が背面基板２２側に移動して白色表示がなされる。
【０２３７】
このように、表示媒体７２の表示基板２０と背面基板２２との基板間の分散媒５０中に、色及び閾値電圧の異なる複数種類の粒子群３５を封入して、各粒子群３５の種類に応じた極性で且つ各粒子群３５の種類に応じた閾値電圧を超える電圧を印加することで、選択的に所望の粒子群３５を移動させて複数色を表示することができる。
【０２３８】
記憶部２１は、記憶領域２１Ａ及び記憶領域２１Ｂ等の各種テーブルや、初期表示を行うときに基板間に印加する電圧の電圧値、極性、及び電圧印加時間を示す初期電圧情報や、各種データ等を予め記憶すると共に、各種データを記憶する。
【０２３９】
記憶領域２１Ａは、粒子群３５の種類を識別する識別情報と、該粒子群３５の種類に応じた閾値電圧の閾値電圧情報と、該閾値電圧を超える表示駆動電圧情報と、該表示駆動電圧の印加時間を示す印加時間情報と、極性情報と、を対応づけて記憶した領域である。
【０２４０】
なお、上記記憶領域２１Ａに示される表示駆動電圧情報と、印加時間情報と、極性情報と、は、電圧波形情報として記憶領域２１Ａに記憶してもよい。
【０２４１】
すなわち、この電圧波形情報とは、移動対象となる粒子群３５の色を所定濃度で表示するときに基板間に印加する電圧値と電圧印加時間を示す波形の波形情報であるので、実際には、この電圧波形情報の電圧波形で変化する電圧を印加することで、移動対象となる粒子群３５の色を所定の色（色相及び明度）で表示することができる。
この電圧波形情報は、例えば、矩形波によって表される波形の情報であって、パルス幅、パルス数、及び波形の平坦部の電圧値を調整することで、移動対象となる粒子群３５の閾値電圧を超える表示駆動電圧、該表示駆動電圧の極性、及び該表示駆動電圧の印加時間を表すことができる。
本実施の形態では、表示駆動電圧情報と、印加時間情報と、極性情報と、は電圧波形情報として記憶領域２１Ａに記憶されているものとして説明する。
【０２４２】
なお、記憶領域２１Ａには、粒子群３５の種類を識別する識別情報と、該粒子群３５の種類に応じた閾値電圧の閾値電圧情報と、電圧波形情報と、が１対１対１対１の関係で対応づけて記憶されている。
【０２４３】
また、記憶領域２１Ｂは、表示する画像の色を示す色情報と、電圧印加順序を示す１または複数の順序情報と、各順序情報の順序において印加する電圧の極性を示す極性情報と、各順序情報の順序において電圧印加により移動対象となる粒子群の種類を識別する１または複数の上記識別情報と、を関連づけて記憶した領域である。
【０２４４】
なお、この記憶領域２１Ａ及び記憶領域２１Ｂ中の極性情報、閾値電圧情報、表示駆動電圧情報、及び表示駆動電圧の印加時間情報の定義は、第１の実施の形態で説明したため、説明を省略する。
【０２４５】
上記記憶領域２１Ｂに記憶されている電圧印加順序を示す順序情報とは、表示媒体７２に所定の色の画像を表示するときに複数種の電圧波形情報の電圧波形で示される電圧を順次基板間に印加するときのこの各電圧の印加の順序を示している。
【０２４６】
このように記憶領域２１Ａ及び記憶領域２１Ｂに上記各種情報が記憶されているので、上記図１０で説明したように、各粒子群３５の種類に応じた極性で且つ各粒子群３５の種類に応じた閾値電圧を超える電圧を印加することで、選択的に所望の粒子群３５を移動させて複数色を表示することができる。
【０２４７】
ここで、上述の各色を表示媒体７２に表示するときに電圧を印加すると、移動対象となる種類の粒子群３５以外の粒子群３５の内の一部の粒子が、移動対象となる種類の粒子群３５の基板間の移動による影響を受けて移動を開始してしまい、表示基板２０と背面基板２２との基板間に浮遊した状態となる場合がある。
【０２４８】
具体的には、図１０（Ａ）に示す初期状態から、シアン粒子群３５Ｃを表示基板２０側に移動させてシアン色表示を行う（図１０（Ｈ）参照）ために、初期状態（図１０（Ａ）または図１２（Ａ）参照）の表示媒体７２に正極の閾値電圧Ｖｃを超える電圧であって、且つ正極の閾値電圧Ｖｍ未満の電圧を印加すると、シアン粒子群３５Ｃの表示基板２０側への移動の影響を受けて、移動対象となる粒子以外のマゼンタ粒子群３５Ｍ及びイエロー粒子群３５Ｙの内の一部の粒子が表示基板２０側への移動を開始してしまい、表示基板２０と背面基板２２との基板間に浮遊した状態（図１２（Ｊ）点線７４内参照）となる場合がある。
【０２４９】
そこで、本実施の形態の表示装置７０では、目的とする表示色を表示媒体７２に表示するための電圧波形の電圧、すなわち移動対象の１または複数種類の粒子群３５の内の最も閾値電圧の小さい粒子群３５の閾値電圧を超える表示駆動電圧を印加した後に、この印加した表示駆動電圧の極性とは逆極性で、且つ該閾値電圧以下の電圧を基板間に印加する。
【０２５０】
以下に、この表示装置７０の作用の一例を、図１１を用いて説明する。
【０２５１】
なお、図１１に示すフローチャートは、表示媒体７２に所定色（色相及び明度）の画像を表示するときに、制御部１９によって実行される表示プログラムの流れを示すフローチャートであり、この表示プログラムは、制御部１９の図示を省略するＲＯＭの所定の領域に予め記憶されており、制御部１９の図示を省略するＲＯＭの所定の領域等に予め記憶されて、制御部１９の図示を省略するＣＰＵから読み出されることで実行される。
【０２５２】
なお、本作用では、説明を簡略化するために、表示媒体７２が初期状態（白色表示）にあるときに、表示色としてシアン色を表示する場合（図１０（Ｈ）参照）を説明する。
【０２５３】
ここで、表示媒体７２のセル内に封入されている粒子群３５は、上記３種類の粒子群３５（イエロー粒子群３５Ｙ、マゼンタ粒子群３５Ｍ、シアン粒子群３５Ｃ）であり、表面電極４０と背面電極４６との電極間に印加された電圧に対して、図９示す閾値特性を取ることを前提とする。
【０２５４】
制御部１９では、所定時間毎に図１１に示す処理ルーチンが実行されて、ステップ２００へ進む。
【０２５５】
ステップ２００では、取得部１５から表示色情報を取得したか否かを判別し、否定されると本ルーチンを終了し、肯定されると、ステップ２０１へ進む。
【０２５６】
表示色情報は、表示媒体７２に表示する色を示す色情報を含んで構成されている。
【０２５７】
ステップ２０１では、まず、初期動作として、記憶部２１から初期電圧情報を読み取り、次のステップ２０２において、読み取った初期電圧情報を示す動作信号を、電圧印加部１６へ出力する。
【０２５８】
なお、本実施の形態では、白色表示を行うために、初期表示を行うときに基板間に印加する電圧の電圧値、極性、及び電圧印加時間を示す初期電圧情報には、イエロー粒子群３５Ｙ、マゼンタ粒子群３５Ｍ、及びシアン粒子群３５Ｃの内の最も閾値電圧の大きい閾値電圧Ｖｙを超える電圧値として電圧値Ｖｙ’を示す電圧値情報と、正極情報と、予め測定した白色表示を行うために閾値電圧Ｖｙ’を継続印加する時間を示す電圧印加情報と、が含まれているものとする。
【０２５９】
動作信号を受け付けた電圧印加部１６は、表面電極４０と背面電極４６との電極間に、動作信号に含まれる極性情報、電圧値情報、及び電圧印加時間情報に応じた極性の電圧を該電圧印加時間情報の電圧印加時間印加する。
【０２６０】
ステップ２０２の処理によって、例えば、表面電極４０を正極として背面電極４６を負極とした電圧値Ｖｙ’の電圧が印加されて、図１２（Ａ）または図１０（Ａ）に示すように、複数種の全粒子群３５が背面基板２２側へと移動する。このとき、表示基板２０側から視認される表示媒体１２の色は、分散媒５０の色としての白色として視認される。
【０２６１】
次のステップ２０４では、記憶部２１に記憶されている記憶領域２１Ｂから、上記ステップ２００で取得した表示色情報に含まれる色情報に対応する、電圧印加順序を示す１または複数の順序情報と、各順序情報の順序において印加する電圧の極性を示す極性情報と、各順序情報の順序において電圧印加により移動対象となる粒子群の種類を識別する１または複数の上記識別情報と、を読み取ると共に、読み取った識別情報に対応する閾値電圧情報と、電圧波形情報と、記憶領域２１Ａから読み取る。
【０２６２】
次のステップ２０５では、上記ステップ２０４で読み取った情報に基づいて電圧印加信号を電圧印加部１６へ出力する。
【０２６３】
ステップ２０５における電圧印加信号は、上記ステップ２０４で読み取った情報に基づいて、順序情報毎に、各順序情報に対応する１または複数の識別情報（粒子群３５の種類を示す情報）の内の、最も閾値電圧の大きい種類の粒子群３５を選択し、選択した粒子群３５の識別情報に対応する電圧波形を抽出する。そして、抽出した電圧波形を対応する順序情報の順序の早い順番に順次電圧印加部１６へ出力することによって出力される。
【０２６４】
電圧印加信号を受け付けた電圧印加部１６は、受け付けた電圧印加信号に含まれる１または複数の電圧波形で変化する電圧を表面電極４０と背面電極４６との電極間に印加する。
【０２６５】
なお、ステップ２００の処理が、本発明の表示プログラムの取得ステップに相当し、ステップ２０４及びステップ２０５の処理が、本発明の表示プログラムの第３の電圧印加ステップに相当する。
【０２６６】
ステップ２０５の処理によって、例えば、上記ステップ２００の処理において赤色表示を示す表示色情報を取得した場合には、初期状態（図１０（Ａ）参照）の表示媒体７２に正極性の閾値電圧Ｖｙを超える表示駆動電圧Ｖｙ’が電圧印加順序の最も早い電圧波形に応じて印加されることによって、シアン粒子群３５Ｃ、マゼンタ粒子群３５Ｍ、及びイエロー粒子群３５Ｙが表示基板２０側に移動した後に、次の電圧印加順序の電圧波形に応じて、閾値電圧Ｖｃを超えて且つ閾値電圧Ｖｍ未満の負極性の電圧が印加されることによって、シアン粒子群３５Ｃが背面基板２２側に移動する（図１０（Ｉ）参照）。
【０２６７】
また、ステップ２０５の処理によって、例えば、上記ステップ２００の処理においてシアン色表示を示す表示色情報を取得した場合には、初期状態（図１２（Ａ）または図１０（Ａ）参照）の表示媒体７２に正極性の閾値電圧Ｖｃを超える電圧であって、且つ正極性の閾値電圧Ｖｍ未満の電圧が電圧印加順序の最も早い電圧波形に応じて印加されることによって、シアン粒子群３５Ｃが表示基板２０側に移動する（図１２（Ｈ）、または図１０（Ｈ）参照）。
【０２６８】
ここで、ステップ２０５の処理によって、移動対象となる種類の粒子群３５以外の粒子群３５の粒子が、移動対象の粒子の移動に伴って移動することで、基板間に浮遊した状態となる場合がある。
【０２６９】
例えば、上記シアン色表示を行う場合に、シアン粒子群３５Ｃの表示基板２０側への移動とともに、このシアン粒子群３５Ｃの移動の影響を受けて、移動対象となる粒子以外のマゼンタ粒子群３５Ｍ及びイエロー粒子群３５Ｙの内の一部の粒子が表示基板２０側への移動を開始して、表示基板２０と背面基板２２との基板間に浮遊した状態（図１２（Ｊ）点線７４内の粒子３５Ｄ参照）となる場合がある。
【０２７０】
そこで、次のステップ２０６において、上記ステップ２０５における電圧印加順序に応じた電圧波形で示される電圧を順次印加する処理において最後、すなわち上記ステップ２０４で読み取った順序情報の順序が最後の値を示す順序情報に対応する電圧波形で変化する電圧を印加することによって移動する対象となる粒子群３５の内の、閾値電圧の最も小さい粒子群３５の閾値電圧以下の電圧を、最後に粒子群３５を移動させるときに印加した電圧の極性を反転させた極性で基板間に印加した後に、本ルーチンを終了する。
【０２７１】
このステップ２０６の処理が、本発明の表示プログラムの第４の電圧印加ステップに相当する。
【０２７２】
ステップ２０６の処理によって、例えば、表示媒体７２が浮遊粒子の発生した図１２（Ｊ）の状態にある場合には、最後に印加した電圧波形で変化する電圧を印加することによって移動する対象となる粒子群３５は、シアン粒子群３５Ｃであることから、このシアン粒子群３５Ｃの閾値電圧以下の電圧を、最後に印加した表示駆動電圧の極性とは逆極性で印加する。
【０２７３】
ステップ２０６の処理によって、上記ステップ２０５の処理によって表示基板２０側または背面基板２２側に到達していた粒子は各々の基板側に保持されたままで、ステップ２０６の処理によって発生した浮遊粒子（図１２（Ｋ）中、点線７４内の粒子３５Ｄ参照）が背面基板２２側へと移動し、図１２（Ｈ）に示すように背面基板２２へと到達する。
【０２７４】
このため、表示基板２０側には、粒子群３５を構成する粒子の内、上記ステップ２００で取得した表示色情報に応じた色を表現可能な種類及び数の粒子群３５が保持され、表示基板２０と背面基板２２との基板間に浮遊した浮遊粒子は他方の基板側へ移動して該基板側に保持されるので、浮遊粒子の発生を抑制することができる。
【０２７５】
また、上記ステップ２０６の処理は、図１０（Ｉ）に示すように、表示媒体７２に所定色（例えばＲ色）を表示させるためには、初期状態の表示色及び目的とする所定色とは異なる色を表示させるための電圧を印加する複数の段階を経る必要がある場合であっても、目的とする所定の色を表示させる処理（ステップ２０５の処理に相当）を行った後に行うことから、ステップ２０６の処理では、最後に移動させた粒子の閾値電圧以下の電圧を印加すればよく、効率よく浮遊粒子の存在を減少させることができる。
【図面の簡単な説明】
【０２７６】
【図１】第１の実施の形態に係る表示装置の概略構成図である。
【図２】第１の実施の形態における、粒子群の閾値特性の一例を示す線図である。
【図３】第１の実施の形態において制御部で実行される処理を示すフローチャートである。
【図４】（Ａ）〜（Ｄ）第１の実施の形態における表示装置の表示媒体の基板間に電圧を印加したときの粒子群の移動態様を模式的に示す説明図である。
【図５】第２の実施の形態に係る表示装置の概略構成図である。
【図６】第３の実施の形態に係る表示装置の概略構成図である。
【図７】（Ａ）〜（Ｂ）第４の実施の形態に係る表示装置の概略構成図である。
【図８】第５の実施の形態に係る表示装置の概略構成図である。
【図９】第５の実施の形態における、複数種類の粒子群各々の閾値特性の一例を示す線図である。
【図１０】第５の実施の形態における、表示媒体への電界形成態様と、粒子群の移動態様との関係を模式的に示す説明図である。
【図１１】第５の実施の形態において制御部で実行される処理を示すフローチャートである。
【図１２】第５の実施の形態における、表示媒体への電界形成態様と、粒子群の移動態様との関係を模式的に示す説明図である。
【図１３】（Ａ）及び（Ｂ）は、第１の実施の形態における図１とは異なる表示装置の一例を示す概略構成図である。
【図１４】第４の実施の形態における表示媒体の一例を示す概略構成図である。
【符号の説明】
【０２７７】
１０、５６、６０、６４、７０、８０  表示装置
１２、５４、６２、６６、６７、７２、８２  表示媒体
９０、９２  書込み装置
１４  記憶部
１５  取得部
１６  電圧印加部
１８、１９  制御部
２０  表示基板
２１  記憶部
２２  背面基板
３４、３５  粒子群
３６  大径着色粒子群
３８  支持基板
４０  表面電極
４６  背面電極
４８  表面層
５０  分散媒
５８  多孔質部材
６９  着色基板
【図１】
2008129179.tif 000003
【図２】
2008129179.tif 000004
【図３】
2008129179.tif 000005
【図４】
2008129179.tif 000006
【図５】
2008129179.tif 000007
【図６】
2008129179.tif 000008
【図７】
2008129179.tif 000009
【図９】
2008129179.tif 000010
【図１１】
2008129179.tif 000011
【図８】
2008129179.tif 000012
【図１０】
2008129179.tif 000013
【図１２】
2008129179.tif 000014
【図１３】
2008129179.tif 000015
【図１４】
2008129179.tif 000016